(57)【要約】【課題】遊技島の高さを低く感じさせる遊技島を提供すること。【解決手段】遊技機の下部を支持するための下部フレーム体（下部フレーム体１７３Ｆ，１７３Ｂ）と、前記下部フレーム体の上方に設けられ前記遊技機の上部を支持するための上部フレーム体（上部フレーム体１７４Ｆ，１７４Ｂ）と、を備え、少なくとも上部フレーム体の高さを変更することにより第１の高さで使用する遊技機（パチンコ遊技機２Ａ）と第１の高さよりも低い第２の高さで使用する遊技機（スロットマシン２Ｃ）とのいずれも設置可能な遊技島であって、前記第２の高さで使用する遊技機を設置する場合において（図２８の（Ａ））、断面Ｌ字状の上方開放部材（部材９５Ｆｃ、部材９５Ｆｄ）を前記上部フレーム体の上側に設ける【選択図】図１３
2015173892.tif 000002
【特許請求の範囲】
【請求項１】
遊技機の下部を支持するための下部フレーム体と、前記下部フレーム体の上方に設けられ前記遊技機の上部を支持するための上部フレーム体と、を備え、少なくとも上部フレーム体の高さを変更することにより第１の高さで使用する遊技機と第１の高さよりも低い第２の高さで使用する遊技機とのいずれも設置可能な遊技島であって、
前記第２の高さで使用する遊技機を設置する場合において、断面Ｌ字状の上方開放部材を前記上部フレーム体の上側に設けることを特徴とする遊技島。
【請求項２】
前記第１の高さの遊技機を設置する場合に、前記下部フレーム体と前記遊技機との間にスペーサを設け、前記第２の高さの遊技機を設置する場合に、該スペーサを外すものであり、前記上方開放部材は、前記スペーサの少なくとも一部で形成されることを特徴とする請求項１に記載の遊技島。
【請求項３】
前記遊技機に供給するための遊技媒体を貯留するタンクを備え、
前記タンクは、一方を上部フレーム体に、他方を上方開放部材に跨らせて設置可能であることを特徴とする請求項１または２に記載の遊技島。
【請求項４】
前記遊技島の上側を塞ぐ板体を備え、
前記板体は、一方を上部フレーム体に、他方を上方開放部材に跨らせて設置可能であることを特徴とする請求項１から３のいずれかに記載の遊技島。
【発明の詳細な説明】
【技術分野】
【０００１】
本発明は、複数の遊技機が設置される遊技島に関する。
【背景技術】
【０００２】
遊技店に設置される遊技島としては、所定の間隔を隔てて立設された複数の支持フレーム間に設置板を架設し、該遊技島の一面及び反対面各々の長手方向に複数の遊技機を設置できるようにしたもの等がある。
【０００３】
また、遊技島には、一般的にパチンコ遊技機またはスロットマシンのいずれかが設置されるが、営業形態に応じて、例えばパチンコ遊技機の遊技島をスロットマシンの遊技島に変更したり、スロットマシンの遊技島をパチンコ遊技機の遊技島に変更したり、あるいはパチンコ遊技機とスロットマシン遊技機とを併設することができるようにしたもの等があった（例えば、特許文献１、２参照）。
【先行技術文献】
【特許文献】
【０００４】
【特許文献１】特開平１１−４７４１７号公報
【特許文献２】特開２００１−２２４８２６号公報
【発明の概要】
【発明が解決しようとする課題】
【０００５】
上記特許文献１、２に記載した遊技島において、パチンコ遊技機は高い位置に設置し、スロットマシンは低い位置に設置するようにしている。しかしながら、島の高さについて考慮がなされていなかった。
【０００６】
本発明は、この点に着目してなされたものであり、遊技島の高さを低く感じさせることを課題とする。
【課題を解決するための手段】
【０００７】
本発明の請求項１の遊技島は、遊技機の下部を支持するための下部フレーム体（下部フレーム体１７３Ｆ，１７３Ｂ）と、前記下部フレーム体の上方に設けられ前記遊技機の上部を支持するための上部フレーム体（上部フレーム体１７４Ｆ，１７４Ｂ）と、を備え、少なくとも上部フレーム体の高さを変更することにより第１の高さで使用する遊技機（パチンコ遊技機２Ａ）と第１の高さよりも低い第２の高さで使用する遊技機（スロットマシン２Ｃ）とのいずれも設置可能な遊技島であって、前記第２の高さで使用する遊技機を設置する場合において（図２８の（Ａ））、断面Ｌ字状の上方開放部材（部材９５Ｆｃ、部材９５Ｆｄ）を前記上部フレーム体の上側に設けることを特徴としている。
この特徴によれば、第２の高さで使用する遊技機を設置する場合において、上部フレーム体の上方に設置する部材（部材９５Ｆｄ）によって、遊技機設置島内を遊技者がのぞき見されることを防止できるとともに、部材の上部が開放しているので、遊技者に閉塞感を与えることもない。
【０００８】
また、請求項２の遊技島は、請求項１に記載の遊技島であって、
前記第１の高さの遊技機を設置する場合に、前記下部フレーム体と前記遊技機との間にスペーサ（設置筒９５Ｆ、９５Ｂ）を設け、前記第２の高さの遊技機を設置する場合に、該スペーサを外すものであり、前記上方開放部材は、前記スペーサの少なくとも一部（部材９５Ｆｃ、部材９５Ｆｄ）で形成されることを特徴としている。
この特徴によれば、スペーサと上方開放部材を兼用することができるので好ましい。
【０００９】
また、請求項３の遊技島は、請求項１に記載の遊技島であって、
前記遊技機に供給するための遊技媒体を貯留するタンク（１０００）を備え、前記タンクは、一方を上部フレーム体（幕板枠５５Ｂ）に、他方を上方開放部材９５Ｆｄ、９５Ｆｅ）に跨らせて設置可能であることを特徴としている。
この特徴によれば、遊技機設置島の表側にパチンコ、裏側にスロットマシンと異なる種類の遊技機を設けた場合でも、タンクや遊技媒体の補給経路などの構造を変更することもない。
【００１０】
また、請求項４の遊技島は、請求項１に記載の遊技島であって、
前記遊技島の上側を塞ぐ板体（Ｑ１、Ｑ２）を備え、前記板体は、一方を上部フレーム体に、他方を上方開放部材に跨らせて設置可能（溝５１Ａ）であることを特徴としている。
この特徴によれば、遊技機設置島の上面を好適に塞ぐことができ、ゴミなどの進入を防止できる。
【００１１】
ところで、上記特許文献１、２に記載した遊技島において、例えば、パチンコ遊技機を設置する場合は、各パチンコ遊技機の左側方に遊技球を貸し出すための球貸処理機（第１装置）が設置され、スロットマシンを設置する場合は、各スロットマシンの右側方にメダル貸処理機（第２装置）が設置されることがある。
【００１２】
ここで、このような遊技島の一例を、図１４（Ｂ）に基づいて説明する。尚、図１４（Ｂ）は、遊技島を示す概略平面図である。図１４（Ｂ）に示す遊技島は、前列ＦＬ（第１の列）方向に所定の間隔を隔てて立設される複数の第１支持フレーム０１と、該前列ＦＬに対し平行な後列ＢＬ（第２の列）方向に複数の第１支持フレーム０１各々に対応して立設される複数の第２支持フレーム０２と、各第１支持フレーム０１と各第２支持フレーム０２とを連結する連結フレーム０３と、該複数の第１支持フレーム０１間に架設される第１設置板０４と、該複数の第２支持フレーム０２間に架設される第２設置板０５と、を備え、第１設置板０４の前列ＦＬ方向に間隔を隔てて複数の遊技機０６が設置されるとともに、第２設置板０５における第１設置板０４に設置された複数の遊技機０６各々に対応する位置に複数の遊技機０７が設置され、第１設置板０４に設置される複数の遊技機０６と第２設置板０５に設置される複数の遊技機０７の背面が対向するように設置されている。
【００１３】
また、各遊技機０６，０７がパチンコ遊技機である場合、各遊技機０６，０７を正面から見て左側方に球貸処理機０８が設置され、スロットマシンである場合、各遊技機０６，０７を正面から見て右側方にメダル貸処理機０９が設置される。尚、球貸処理機０８の左右幅寸法Ｌ２１は、メダル貸処理機０９の左右幅寸法Ｌ２２よりも短寸（例えば、Ｌ２１＜Ｌ２２）である。尚、これら各遊技機０６，０７及び球貸処理機０８やメダル貸処理機０９は、第１支持フレーム０１、第２支持フレーム０２間に配設され、隣り合う第１支持フレーム０１，０１間または隣り合う第２支持フレーム０２，０２間でしか列方向の位置をずらすことはできない。
【００１４】
ここで、遊技機０６，０７としてパチンコ遊技機またはスロットマシンのいずれを設置するにせよ、各遊技機０６，０７に対応して椅子が床面に固定されていたり、各遊技機０６，０７に対応して呼出しランプが設置されていたりすることで、各遊技機０６，０７の列方向の位置を変更することは困難である。よって、例えば、設置する遊技機をパチンコ遊技機からスロットマシンに変更できるようにするには、予め各遊技機０６，０７の左側方に球貸処理機０８の左右幅寸法Ｌ２１を確保し、かつ、各遊技機０６，０７の右側方にメダル貸処理機０９の左右幅寸法Ｌ２２を確保しておく必要がある。
【００１５】
また、遊技機０６と遊技機０７とは背中合わせに配置されることで、遊技機０６，０７のうち一方の左側方の球貸処理機０８の真後ろには他方の右側方のメダル貸処理機０９が配置され、また、第１支持フレーム０１と第２支持フレーム０２は列方向の同位置に配置されることで、球貸処理機０８と第１支持フレーム０１または第２支持フレーム０２の間に無駄なスペース１０が生じてしまう。すなわち、各遊技機０６，０７の左右両側方にメダル貸処理機０９の左右幅寸法Ｌ２２分のスペースを予め確保しておく必要があるため、遊技島の列方向の寸法が長くなるという問題があった。
【００１６】
以下の手段は、このような問題点に着目してなされたもので、遊技島の長さを極力短くすることができる遊技島を提供することを目的とする。
【００１７】
手段１の遊技島は、第１の列方向（例えば、前列ＦＬ方向）に間隔を隔てて立設される複数の第１支持フレーム（例えば、前支持枠７０Ｆ）と、該第１の列方向に沿う第２の列方向（例えば、後列ＢＬ方向）に該複数の第１支持フレーム各々に対応して立設される複数の第２支持フレーム（例えば、後支持枠７０Ｂ）と、前記複数の第１支持フレームに支持される第１設置板（例えば、設置板１３Ｆａ）と、前記複数の第２支持フレームに支持される第２設置板（例えば、設置板１３Ｂａ）と、を備え、前記第１設置板の前記第１の列方向に間隔を隔てて複数の遊技機（例えば、パチンコ遊技機２Ａ、封入式パチンコ遊技機２Ｂ、スロットマシン２Ｃなど）が設置されるとともに、前記第２設置板における前記第１設置板に設置された複数の遊技機各々に対応する位置に複数の遊技機が設置され、前記第１設置板に設置される複数の遊技機と前記第２設置板に設置される複数の遊技機の背面が対向する遊技島（例えば、遊技島１は、後列ＢＬ方向に設置されたパチンコ遊技機２Ａは、前列ＦＬ方向に設置されたパチンコ遊技機２Ａの真後ろに設置される。図１４（Ａ）参照）であって、
前記第１支持フレーム及び前記第２支持フレームは、該第１支持フレーム間及び該第２支持フレーム間各々に、少なくとも一の遊技機と、該一の遊技機の正面から見て一側方（例えば、左側方）に配置される第１装置（例えば、球貸処理機９０）または該一の遊技機の正面から見て他側方（例えば、右側方）に配置され前記第１装置とは前記第１の列方向及び前記第２の列方向の寸法が異なる（例えば、左右幅寸法Ｌ２１＜Ｌ２２）第２装置（例えば、メダル貸処理機９１）を設置可能な間隔を隔てて立設され（図１４（Ａ）参照）、
前記第１支持フレームと該第１支持フレームに対応する前記第２支持フレームとを連結する連結フレーム（例えば、連結フレーム７１，７２）を備え、
前記連結フレームは、
前記第１支持フレームから前記第１設置板に設置される遊技機の背面側に向けて延設される第１連結フレーム部（例えば、第１連結フレーム部７１ａ，７２ａ）と、
前記第２支持フレームから前記第２設置板に設置される遊技機の背面側に向けて延設され前記第１連結フレーム部に対し前記列方向にずれた位置に配置される第２連結フレーム部（例えば、第２連結フレーム部７１ｂ，７２ｂ）と、
を有する
ことを特徴としている。
この特徴によれば、連結フレームが、第１連結フレーム部と該第１連結フレーム部に対し列方向にずれた位置に配置される第２連結フレーム部とを有することで、第１設置板に設置された遊技機の他側方の第２装置に近接して第１支持フレームを配置したときに、第２設置板に対応して設置された遊技機の一側方の第１装置に近接して第２支持フレームが配置される。つまり、第１装置と第２装置との第１の列方向及び第２の列方向の寸法の差分だけ遊技機を第１の列方向及び第２の列方向に詰めて設置できるため、遊技島の長さを短くしたり遊技機を増台することが可能となる。
【００１８】
本発明の手段１の遊技島は、請求項１に記載の遊技島であって、
前記第１支持フレーム（例えば、前支持枠７０Ｆ）と前記第２支持フレーム（例えば、後支持枠７０Ｂ）との間に前記第１の列方向及び前記第２の列方向（例えば、前列ＦＬ，後列ＢＬ方向）に延設され、前記複数の遊技機（例えば、パチンコ遊技機２Ａ）から排出される遊技媒体（例えば、遊技球）を回収する回収樋（例えば、回収樋９Ｌ，９Ｒ）と、
前記第１設置板（例えば、設置板１３Ｆａ）及び前記第２設置板（例えば、設置板１３Ｂａ）の下方に前記列方向に沿って配設される腰板（例えば、腰板１４Ｆ，１４Ｂ）を取り付けるための腰板枠（例えば、腰板枠３０Ｆ，３０Ｂ）と、
を備え、
前記第１支持フレーム及び前記第２支持フレームには、前記回収樋と前記腰板枠とを取り付ける取付部材（例えば、取付部材５００Ｆ，５００Ｂ）が設けられている
ことを特徴としている。
この特徴によれば、回収樋と腰板枠とを容易に取り付けることができる。
【００１９】
本発明の手段２の遊技島は、手段１に記載の遊技島であって、
前記回収樋（例えば、回収樋９Ｌ，９Ｒ）は、底板（例えば、底板９ｅ）と、該底板に前記列方向（例えば、前列ＦＬ，後列ＢＬ方向）に沿って立設される側板（例えば、側板９ａ，９ｂ）と、から構成される
ことを特徴としている。
この特徴によれば、回収樋を容易に組み立てることができる。
【００２０】
本発明の手段３の遊技島は、手段２に記載の遊技島であって、
前記回収樋（例えば、回収樋９Ｌ，９Ｒ）は、前記側板（例えば、側板９ａ，９ｂ）に対し直交し、かつ、該底板（例えば、底板９ｅ）との間に遊技媒体（例えば、遊技球）が通過可能な間隔を隔てて配置される仕切板（例えば、仕切板９ｈ）を備える（図６（Ｂ）参照）
ことを特徴としている。
この特徴によれば、遊技媒体を貯留することが可能となる。
【００２１】
本発明の手段４の遊技島は、請求項１、手段１〜３のいずれかに記載の遊技島であって、
前記複数の第１支持フレーム（例えば、前支持枠７０Ｆ）間及び前記第２支持フレーム（例えば、後支持枠７０Ｂ）間における前記遊技機（例えば、パチンコ遊技機２Ａ、封入式パチンコ遊技機２Ｂ、スロットマシン２Ｃなど）の上方に支持される幕板枠（例えば、幕板枠５５Ｆ，５５Ｂ）を備え、
前記幕板枠は、紙幣を受け付ける紙幣ユニットの取付部（例えば、仕切板５７，５８間に形成された取付部）が設けられている（図３参照）
ことを特徴としている。
この特徴によれば、紙幣ユニットを容易に取り付けることができる。
【００２２】
本発明の手段５の遊技島は、請求項１、手段１〜４のいずれかに記載の遊技島であって、
前記第１設置板（例えば、設置板１３Ｆａ）及び前記第２設置板（例えば、設置板１３Ｂａ）の下方に前記列方向（例えば、前列ＦＬ，後列ＢＬ方向）に沿って配設される腰板（例えば、腰板１４Ｆ，１４Ｂ）を備え、
前記第１設置板及び前記第２設置板は、前記遊技機にて遊技を行う遊技者側から見て前記腰板の奥側に配設される該遊技機に関連する関連設備（例えば、回収通路１０５やメダル回収通路１０５０など）が不要な第１遊技機（例えば、封入式パチンコ遊技機２Ｂ、スロットマシン２Ｃ）と、前記関連設備が必要な第２遊技機（例えば、パチンコ遊技機２Ａ）と、を含む複数種類の遊技機を設置可能であり、
前記第１遊技機に対応可能な態様であって前記腰板により前記第１設置板の下方における前記複数の第１支持フレーム間及び前記第２設置板の下方における前記複数の第２支持フレーム間の少なくとも下部に遊技者側空間（例えば、遊技者側空間Ｓ１）が形成される第１態様（例えば、図１５（Ａ）参照）と、前記第２遊技機に対応可能な態様であって前記第１設置板の下方における前記複数の第１支持フレーム間及び前記第２設置板の下方における前記複数の第２支持フレーム間に前記遊技者側空間が形成されない第２態様（例えば、図１５（Ｂ）参照）と、のいずれかに変更可能である
ことを特徴としている。
この特徴によれば、遊技島を第１態様とすることで、遊技者の脚が複数の第１支持フレーム間または第２支持フレーム間に形成された遊技者側空間を介して第１設置板または第２設置板より奥側に挿入可能となり、遊技島を第２態様とすることで、遊技者の脚が第１設置板または第２設置板より奥側に入り込むことが防止されるため、遊技機に関連する関連設備が必要な遊技機が設置されたときと関連設備が不要な遊技機が設置されたときとで、第１設置板または第２設置板の下方の態様を設置された遊技機に適した態様に変更することができる。
【００２３】
本発明の手段６の遊技島は、請求項１、手段１〜５のいずれかに記載の遊技島であって、
長板状の第１フレーム板（例えば、フレーム板１００Ｌ）と、該第１フレーム板に対し離れて並設される長板状の第２フレーム板（例えば、フレーム板１００Ｒ）と、前記第１フレーム板と前記第２フレーム板との間における長手方向の一端側と他端側それぞれに架設される２つの軸部材（例えば、回転軸１０１ａ，１０２ａ）と、該２つの軸部材それぞれに回動可能に設けられた２つの回動ローラ（例えば、上部ローラ１０１、下部ローラ１０２）と、該２つの回動ローラに掛け渡された無端帯状のベルト（例えば、搬送ベルト１０３）と、該ベルトの外面（例えば、外面１０３ａ）に対向して配置された清浄部材（例えば、清浄布１１６）と、を備え、該２つの回動ローラの少なくも一方を駆動させて前記ベルトを周回させることにより該ベルトと前記清浄部材との間に挟持された遊技球（例えば、遊技球Ｐ）を搬送しながら清浄する清浄装置（例えば、揚送清浄装置２５）において、
前記第１フレーム板及び前記第２フレーム板において前記ベルトを挟んで対向する長辺（例えば、後長辺１００ａ，１００ｂ）の長手方向の同位置に形成される切欠凹部（例えば、切欠凹部１５０ａ，１５０ｂ）と、
前記ベルトの外面に当接し付勢されることで該ベルトに所定の張力を付与するテンションローラ（例えば、テンションローラ１０８）と、
前記テンションローラを回動可能に支持する支持体（例えば、支持体１６１）と、
を備え、
前記切欠凹部は、前記テンションローラが前記ベルトの外面に当接し付勢されるときに該テンションローラまたは前記支持体の少なくとも一部を配置可能な大きさを有する（例えば、開口幅Ｌ３はテンションローラ１０８の直径Ｌ４よりも長寸（Ｌ３＞Ｌ４）とされ、深さＬ３’はテンションローラ１０８の直径Ｌ４よりも短寸（Ｌ３’＜Ｌ４）とされている。）
ことを特徴としている。
この特徴によれば、第１フレーム板及び第２フレーム板に形成された切欠凹部が、テンションローラまたは支持体の少なくとも一部を配置可能な大きさを有することで、第１フレーム板と第２フレーム板との離間幅寸法に制限されることなく、テンションローラの少なくとも一部を第１フレーム板及び第２フレーム板の長辺より内側に配置することができるため、清浄装置をコンパクトにすることができる。
【図面の簡単な説明】
【００２４】
【図１】本発明の実施例としての遊技島の内部構造を示す断面図である。
【図２】遊技島の前面の要部を示す正面図である。
【図３】遊技島の躯体構造を示す斜視図である。
【図４】躯体を示す側面図である。
【図５】躯体を並べた状態を示す斜視図である。
【図６】（Ａ）は下部ユニットと回収樋を示す要部拡大斜視図、（Ｂ）は仕切板を示す拡大図である。
【図７】連結フレームを示す斜視図である。
【図８】（Ａ）（Ｂ）は躯体への各部材の組付工程を示す説明図である。
【図９】（Ｃ）（Ｄ）は躯体への各部材の組付工程を示す説明図である。
【図１０】（Ａ）は取付部材に回収通路と腰板枠とを組み付けた状態を示す斜視図、（Ｂ）は（Ａ）のＢ−Ｂ断面図である。
【図１１】図２のＡ−Ａ断面図である。
【図１２】遊技島の前後面に封入式パチンコ遊技機を設置した状態を示す断面図である。
【図１３】遊技島の前後面にスロットマシンを設置した状態を示す断面図である。
【図１４】（Ａ）は実施例の遊技島における遊技機等の設置状況を示す概略平面図、（Ｂ）は従来の遊技島における遊技機等の設置状況を示す概略平面図である。
【図１５】（Ａ）は腰板の下方に空間部が形成されない態様、（Ｂ）は腰板の下方に空間部が形成される態様を示す断面図である。
【図１６】（Ａ）は揚送清浄装置を斜め前から見た斜視図、（Ｂ）は揚送清浄装置を斜め後ろから見た斜視図である。
【図１７】揚送清浄装置の内部構造を示す断面図である。
【図１８】図１７のＣ−Ｃ断面図である。
【図１９】本体の下部及びテンションユニットを示す側面図である。
【図２０】本体の下部及びテンションユニットを示す背面図である。
【図２１】本体及びテンションユニットを示す底面図である。
【図２２】（Ａ）は図１９のＤ−Ｄ断面図、（Ｂ）はＥ−Ｅ断面図である。
【図２３】（Ａ）は本体とテンションユニットを示す分解側面図、（Ｂ）は（Ａ）のＦ−Ｆ断面図である。
【図２４】テンションユニットの要部を示す側面図である。
【図２５】（Ａ）はロックアームの先端を示す拡大図、（Ｂ）は（Ａ）のＧ−Ｇ断面図である。
【図２６】（Ａ）（Ｂ）はテンションユニットの取り付け方法を示す説明図である。
【図２７】（Ａ）はテンションユニットの取り付け方法を示す説明図、（Ｂ）は（Ａ）のＨ−Ｈ断面図である。
【図２８】（Ａ）は遊技機設置島を斜め前から見た斜視図、（Ｂ）は拡大斜視図である。
【発明を実施するための形態】
【００２５】
本発明に係る遊技島を実施するための形態を実施例に基づいて以下に説明する。
【実施例】
【００２６】
本発明の実施例としての遊技島について、図面に基づいて説明する。図１は、本発明の実施例としての遊技島の内部構造を示す断面図である。図２は、遊技島の前面の要部を示す正面図である。図３は、遊技島の躯体構造を示す斜視図である。図４は、躯体を示す側面図である。図５は、躯体を並べた状態を示す斜視図である。図６は、（Ａ）は下部ユニットと回収樋を示す要部拡大斜視図、（Ｂ）は仕切板を示す拡大図である。図７は、連結フレームを示す斜視図である。図８は、（Ａ）（Ｂ）は躯体への各部材の組付工程を示す説明図である。図９は、（Ｃ）（Ｄ）は躯体への各部材の組付工程を示す説明図である。図１０は、（Ａ）は取付部材に回収通路と腰板枠とを組み付けた状態を示す斜視図、（Ｂ）は（Ａ）のＢ−Ｂ断面図である。図１１は、図２のＡ−Ａ断面図である。図１２は、遊技島の前後面に封入式パチンコ遊技機を設置した状態を示す断面図である。図１３は、遊技島の前後面にスロットマシンを設置した状態を示す断面図である。尚、以下の説明においては、説明の便宜上、図１及び図２における手前側を遊技島の前面側、奥側を遊技島の背面（後面）側として説明する。
【００２７】
図１及び図２に示すように、遊技店等に備え付けられる遊技島１（遊技機設置島とも言う）は、左右方向に向けて細長に形成されており、その前後面には、遊技機の一例であるパチンコ遊技機２Ａが左右方向に向けて複数設置されている。つまり、第１の列としての前列ＦＬ（図１４（Ａ）参照）方向及び該前列ＦＬ方向に沿う背面側の第２の列としての後列ＢＬ（図１４（Ａ）参照）方向に沿って複数のパチンコ遊技機２Ａが並設されている。また、前列ＦＬに沿って並設される複数のパチンコ遊技機２Ａと、後列ＢＬ方向に沿って並設される複数のパチンコ遊技機２Ａは、前列ＦＬ方向及び該後列ＢＬ方向の略同位置に、互いの背面を対向させた状態で設置される（図１４（Ａ）参照）。
【００２８】
また、これら前列ＦＬ方向及び後列ＢＬ方向に沿って並設される複数のパチンコ遊技機２Ａ各々を正面から見て左側方には、パチンコ遊技機２Ａにて遊技を行う際に使用する遊技媒体としての遊技球の貸出を実施させる第１装置としての球貸処理機９０が設置される。また、前列ＦＬ及び後列ＢＬに沿って並設される複数のパチンコ遊技機２Ａ各々を正面から見て右側方には、後述するように遊技機の他の例としてのスロットマシン２Ｃにて遊技を行う際に使用する遊技媒体としてのメダルの貸出を実施させる第２装置としてのメダル貸処理機９１を設置するためのスペースの前面を覆うスペーサ板９２が設置されている。
【００２９】
図１４（Ａ）に示すように、本実施例では、球貸処理機９０の左右幅寸法Ｌ２１（例えば、Ｌ２１＝約４０ｍｍ）は、メダル貸処理機９１を設置するためのスペースの前面を覆うスペーサ板９２の左右幅寸法Ｌ２０（例えば、Ｌ２０＝約１４０ｍｍ）よりも短寸とされている（Ｌ２１＜Ｌ２０）。尚、本実施例では、メダル貸処理機９１の左右幅寸法Ｌ２２は、例えば約１００ｍｍとされ（Ｌ２２＝約１００ｍｍ）、前支持枠７０Ｆまたは後支持枠７０Ｂの左右幅寸法Ｌ２３は、例えば４０ｍｍとされている（Ｌ２３＝４０ｍｍ）ため、スペーサ板９２の左右幅寸法Ｌ２０は、メダル貸処理機９１の左右幅寸法Ｌ２２と前支持枠７０Ｆまたは後支持枠７０Ｂの左右幅寸法Ｌ２３との合算値（例えば、Ｌ２０（約１４０ｍｍ）＝Ｌ２２（約１００ｍｍ）＋Ｌ２３（約４０ｍｍ）＝１４０ｍｍ）とされている。尚、これら左右幅寸法は上記のものに限定されるものでなく、種々に変更可能である。
【００３０】
また、本実施例では、パチンコ遊技機２Ａとは別に封入式パチンコ遊技機２Ｂ（図１２参照）を設置することも可能である。封入式パチンコ遊技機２Ｂとは、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶されるパチンコ遊技機のことである。
【００３１】
図１及び図２に示すように、遊技島１の略中央上部には、遊技球が貯留される上部タンク３が設けられており、この上部タンク３内に貯留された遊技球は、遊技島１内の長手方向両端部に向けてそれぞれ下方に傾斜するように配設された左右の供給樋４に流入するようになっている。これら左右の供給樋４には、流下する遊技球を各パチンコ遊技機２Ａに供給するための支流樋５が、供給樋４の前後（球の流下方向の左右）の側板に、流下方向に向けて所定間隔おきに複数配設されており、これら支流樋５に流入した遊技球は、各パチンコ遊技機２Ａの背面に設けられた球タンク６に供給されるようになっている。なお、タンク３は設置面にアンカーボルトなどで固定したフレーム（図示せず）に保持固定されており、上部フレーム体１７４Ｆ，１７４Ｂの変位による影響を受けないようになっている。
【００３２】
供給樋４の下流側端部には、例えばメンテナンス時等において供給樋４内の遊技球を回収樋９Ｌ，９Ｒ内に流出させる球抜き管７が設けられている。尚、通常時にはこの球抜き管７内を遊技球が流下しないようになっている。
【００３３】
各パチンコ遊技機２Ａより排出されるアウト球は、各パチンコ遊技機２Ａの背面側に設置されたアウトタンク８に受け入れられ、該受け入れた遊技球は図示しない計数器にて計数されて回収樋９Ｌ，９Ｒに排出される。また、回収樋９Ｌ，９Ｒには、後述する球計数装置２１から排出された遊技球も回収されるようになっている。
【００３４】
また、上部タンク３からは、該上部タンク３内部に貯留される遊技球の貯留量が所定量以上となってオーバーフローした遊技球を、遊技島１の長手方向の略中央位置に配置される揚送清浄装置２５の左右側、つまり遊技島１の左右両側（長手方向の両端側）の下部にそれぞれ配置される回収樋９Ｌ，９Ｒにそれぞれ導くオーバーフロー樋１２が左右に向けて下方に傾斜して延設されているとともに、これら左右のオーバーフロー樋１２の下流側端部からは、オーバーフロー管１８が垂下されている。
【００３５】
回収樋９Ｌ，９Ｒは、図１及び図６（Ａ）に示すように、遊技島１の長手方向の左右端側から中央位置に向けて下方に傾斜する底板９ｅと、底板９ｅの前後の長辺に沿って立設される前後の側板９ａ，９ｂと、底板９ｅの左右の短辺に沿って立設される左右の側板９ｃ，９ｄとから上面が開口する箱状に形成され、アウトタンク８及び球抜き管７やオーバーフロー管１８から排出された遊技球を遊技島１の長手方向の略中央位置に配設される揚送清浄装置２５に向けて流下させる。側板９ｃの下部には流出口（図示略）が形成されており、底板９ｅを流下した遊技球は該流出口から流出し、該流出口に接続された接続樋１０Ｌ，１０Ｒを介して揚送清浄装置２５に誘導されるようになっている。揚送清浄装置２５内に流入した遊技球は、揚送清浄装置２５により揚送・清浄された後、排出口３８から上部タンク３内に排出されて貯留される。
【００３６】
尚、図６（Ｂ）に示すように、回収樋９Ｌ，９Ｒの所定箇所には、底板９ｅの前後の側板９ａ，９ｂに対し直交し、かつ、該底板９ｅの上面との間に遊技球が通過可能な間隔（例えば、遊技球の直径よりも長く、直径の２倍よりも短い間隔）を隔てて配置される仕切板９ｈが設けられていることで、底板９ｅの長手方向における所望の箇所にて遊技球を貯留することもできるようになっている。
【００３７】
例えば、揚送清浄装置２５の駆動が停止されるなど、底板９ｅの傾斜下位側から仕切板９ｈよりも傾斜上位側まで遊技球が滞留した場合、仕切板９ｈよりも傾斜上位側で上方のアウトタンク８から落下される遊技球は、仕切板９ｈがあることにより流下が規制されて上方に積層されていく。つまり、底板９ｅ上にある最下層の遊技球より上層に積層された遊技球の負荷が揚送清浄装置２５にかかることがないので、揚送清浄装置２５に滞留した全ての遊技球の負荷がかかることを防止できる。
【００３８】
これら遊技島１内に配設される供給樋４、支流樋５、オーバーフロー樋１２、オーバーフロー管１８、回収樋９Ｌ，９Ｒ、接続樋１０Ｌ，１０Ｒ、揚送清浄装置２５により、遊技島１内における遊技球の循環経路が構成されている。
【００３９】
尚、本実施例における遊技島１は、上部タンク３に貯留された遊技球のみを制御により循環して使用するいわゆる独立式の遊技島であるが、例えば遊技場内に並設される他の遊技島と上部タンク同士を適宜連結樋等により連結して、他の遊技島間で遊技球の貯留量の調整を行うことができるようにしてもよい。
【００４０】
図３〜図５に示すように、遊技島１は、躯体２０と、該躯体２０に組み付けられる各種部材にて構成される。躯体２０は、パチンコ遊技機２Ａやスロットマシン２Ｃ等を支持する支持体であって、遊技店等の床面上に敷設される前後一対のレール部材としての下部レール（図示略）上に立設される躯体ユニットとしての下部ユニット６０と、下部ユニット６０の上部に設置される上部ユニット６１と、から主に構成される。尚、下部レール（図示略）は、チャンネル状（断面略上向きＣ字形）の金属製レールからなり、遊技店等の床面、すなわち、下部ユニット６０を設置する設置面上にアンカーボルト（図示略）等を介して略水平に固設される。尚、下部ユニット６０は、床面上に直接設置されてもよい。
【００４１】
下部ユニット６０は、管状の金属製フレームからなり、遊技島１の下部である腰部及び中間部である設置部を構成するユニットであり、その前後面下部には、木製の腰板１４Ｆ，１４Ｂ及びその上部に固定される膳板１３Ｆ，１３Ｂ、設置板１３Ｆａ，１３Ｂａが取り付けられるようになっており、該設置板１３Ｆａ，１３Ｂａの上面、つまり設置部には、パチンコ遊技機２Ａ、封入式パチンコ遊技機２Ｂ、スロットマシン２Ｃ、球貸処理機９０、メダル貸処理機９１等が設置固定可能とされている。
【００４２】
下部ユニット６０は、互いに長手方向に対向して配置される左右一対の支持枠６６Ｌ，６６Ｒと、これら支持枠６６Ｌ，６６Ｒ間を連結する前後一対の連結ビーム６７Ｆ，６７Ｂと、からなる。連結ビーム６７Ｆ，６７Ｂを介して一体化された左右一対の支持枠６６Ｌ，６６Ｒからなる下部ユニット６０は、下部レール（図示略）の長手方向にわたり所定間隔おき（例えば、１つの下部ユニット６０間隔おき）に設置される。
【００４３】
以下、支持枠６６Ｌ，６６Ｒの構成について説明する。支持枠６６Ｌ，６６Ｒは、前支持枠７０Ｆと、後支持枠７０Ｂと、これら前支持枠７０Ｆと後支持枠７０Ｂとを連結する上下の連結フレーム７１，７２と、から構成されている。前支持枠７０Ｆ及び後支持枠７０Ｂは、パチンコ遊技機２Ａやスロットマシン２Ｃの下部を支持する前後一対の下部フレーム体１７３Ｆ，１７３Ｂと、下部フレーム体１７３Ｆ，１７３Ｂの上方に設けられパチンコ遊技機２Ａやスロットマシン２Ｃの上部を支持する上部フレーム体１７４Ｆ，１７４Ｂと、から構成されている。
【００４４】
下部フレーム体１７３Ｆ，１７３Ｂは、設置面となる下部レール（図示略）に立設される第１縦フレーム７４Ｆ，７４Ｂと、第１縦フレーム７４Ｆ，７４Ｂの上部から互いに他方の支持枠に向けて略水平に延設され、遊技機を支持する横フレーム７５Ｆ，７５Ｂと、横フレーム７５Ｆ，７５Ｂから上方に延設され上部フレーム体１７４Ｆ，１７４Ｂが上下方向に位置調整可能に設けられる第２縦フレーム７６Ｆ，７６Ｂと、を備えている。
【００４５】
尚、本実施例では、これら各フレーム７４〜７６及び連結フレーム７１，７２は、断面略長方形状の金属管にて構成されているが、合成樹脂材からなる管体や非中空の柱状部材にて構成されていてもよく、素材や断面形状などは種々に変形可能である。また、第１縦フレーム７４Ｆ，７４Ｂは、高さ位置を調整可能に構成されており、床面の不陸に対応して左右の支持枠６６Ｌ，６６Ｒそれぞれの前支持枠７０Ｆ，後支持枠７０Ｂの高さ位置を調整することで、膳板１３Ｆ，１３Ｂを略水平に配置できるようになっている。
【００４６】
横フレーム７５Ｆ，７５Ｂは、一端が第１縦フレーム７４Ｆ，７４Ｂの上端に溶着固定され、互いに他方の支持枠に向けて略水平に延設された短寸のフレームにて構成されている。第２縦フレーム７６Ｆ，７６Ｂは、横フレーム７５Ｆ，７５Ｂにおける互いに対向する端部から上方に向けて延設されている。つまり、前支持枠７０Ｆ、後支持枠７０Ｂは、下端から上方に向けて側面視略クランク状に形成されている。
【００４７】
図６に示すように、横フレーム７５Ｆ，７５Ｂそれぞれの下面には、回収樋９Ｌ，９Ｒ及び後述する腰板枠３０Ｆ，３０Ｂを取り付けるための取付部材５００Ｆ，５００Ｂが取り付けられている。取付部材５００Ｆ，５００Ｂは、左右方向に略水平に延設され横フレーム７５Ｆ，７５Ｂの下面に両端が突出するように溶着されており、上片５００ａと、該上片５００ａの一辺から下方に垂下される垂下片５００ｂと、垂下片５００ｂから上片５００ａと反対側に配置される下片５００ｃと、により側面視クランク状に屈曲形成されてなる金属板にて構成されている。
【００４８】
このように構成される取付部材５００Ｆ，５００Ｂは、回収樋９Ｌ，９Ｒの前後の側板９ａ，９ｂの外面上部に取り付けられる取付支柱９ｆ，９ｆを下片５００ｃ上に載置した状態で下面からビス（図示略）等を止着することで、側板９ａ，９ｂを簡単に横フレーム７５Ｆ，７５Ｂに取り付けることができるようになっている。
【００４９】
尚、回収樋９Ｌ，９Ｒは、回収樋９Ｌ，９Ｒの前後の側板９ａ，９ｂの内面下部に取り付けられた取付支柱９ｇ，９ｇ上に底板９ｅを載置してビス（図示略）により止着することで、上面が開口する箱状の回収樋９Ｌ，９Ｒを容易に構成することができる。尚、回収樋９Ｌ，９Ｒは、各下部ユニット６０毎に分割された複数の回収樋部９Ｌａ〜９Ｌｃ，９Ｒａ〜９Ｒｃ（図１参照）からなり、下部ユニット６０間に組付けたときに長手方向に接続されるようになっているが、複数の下部ユニット６０毎に分割されていなくてもよい。
【００５０】
第２縦フレーム７６Ｆ，７６Ｂの上下部には、連結フレーム７１，７２の端部がそれぞれ溶着により固定されている。図４及び図７に示すように、連結フレーム７１，７２は、前側の第２縦フレーム７６Ｆの背面に取付金具７１ｃ，７２ｃにより固定された第１連結フレーム部７１ａ，７２ａと、後側の第２縦フレーム７６Ｂの前面に取付金具７１ｃ，７２ｃにより固定された第２連結フレーム部７１ｂ，７２ｂと、から構成されている。第１連結フレーム部７１ａ，７２ａは、前側の第２縦フレーム７６Ｆの背面から設置板１３Ｂａに設置されている複数のパチンコ遊技機２Ａの背面側、つまり、前列ＦＬに対し直交する方向に向けて延設され、第２連結フレーム部７１ｂ，７２ｂは、後側の第２縦フレーム７６Ｂの背面から設置板１３Ｆａに設置されている複数のパチンコ遊技機２Ａの背面側、つまり、後列ＢＬに対し直交する方向に向けて延設されている。
【００５１】
これら第１連結フレーム部７１ａ，７２ａの先端部の左側面と第２連結フレーム部７１ｂ，７２ｂの先端部の右側面とが溶着されているため、連結フレーム７１，７２は、平面視略クランク状に形成されている。つまり、前後の第２縦フレーム７６Ｆ，７６Ｂは、前側の第２縦フレーム７６Ｆに対し後側の第２縦フレーム７６Ｂが該第２縦フレーム７６Ｆの左右幅寸法分左方にずれた位置に配置されている。言い換えると、前後の第２縦フレーム７６Ｆ，７６Ｂは、左右方向に異なる位置に配置されている。
【００５２】
すなわち、前側の第２縦フレーム７６Ｆ、横フレーム７５Ｆ、第１縦フレーム７４Ｆと、後側の第２縦フレーム７６Ｂ、横フレーム７５Ｂ、第１縦フレーム７４Ｂとは左右方向に異なる位置に配置されるため、例えば、図６に示すように、後側の第２縦フレーム７６Ｂ、横フレーム７５Ｂ、第１縦フレーム７４Ｂが回収樋部９Ｌｂの左側端部に対応する位置に配置されるのに対し、前側の第２縦フレーム７６Ｆ、横フレーム７５Ｆ、第１縦フレーム７４Ｆは回収樋部９Ｌｂの左側端部から右側にずれた位置に配置される。
【００５３】
また、本実施例では、図１１に示すように、連結フレーム７１は、上下方向における設置板１３Ｆａ，１３Ｂａに対応する位置に配設され、連結フレーム７２は、上下方向におけるパチンコ遊技機２Ａ、球貸処理機９０やメダル貸処理機９１の背面に対応する位置に配設されている。つまり、連結フレーム７１は、後述するように、設置板１３Ｆａ，１３Ｂａに設置されるアウトタンク８や球貸処理機９０から延びる排出ノズル等の遊技球の排出部材を避けるために平面視略クランク状に形成され、連結フレーム７２は、パチンコ遊技機２Ａ、球貸処理機９０やメダル貸処理機９１を避けるために平面視略クランク状に形成されている。
【００５４】
また、本実施例では、連結フレーム７１は、設置板１３Ｆａ，１３Ｂａに対応する位置に配設され、連結フレーム７２は、パチンコ遊技機２Ａ、球貸処理機９０やメダル貸処理機９１の背面に対応する位置に配設されていたが、本発明はこれに限定されるものではなく、連結フレーム７１，７２の配設位置は種々に変更可能である。
【００５５】
また、本実施例では、第２縦フレーム７６Ｆ，７６Ｂは上下の連結フレーム７１，７２にて連結されていたが、本発明はこれに限定されるものではなく、３つ以上の連結フレームにて連結されていてもよいし、１つの連結フレームにて連結されていてもよい。
【００５６】
また、本実施例では、前側の第２縦フレーム７６Ｆに対し後側の第２縦フレーム７６Ｂが該第２縦フレーム７６Ｆの左方にずれた位置に配置されているが、本発明はこれに限定されるものではなく、前側の第２縦フレーム７６Ｆに対し後側の第２縦フレーム７６Ｂが右方にずれた位置に配置されていてもよい。また、前側の第２縦フレーム７６Ｆに対し後側の第２縦フレーム７６Ｂが該第２縦フレーム７６Ｆの左右幅寸法よりも長い幅寸法分左方または右方にずれた位置に配置されていてもよいし、第２縦フレーム７６Ｆの左右幅寸法よりも短い幅寸法分左方または右方にずれた位置に配置されていてもよい。つまり、ずれ幅は種々に変更可能である。
【００５７】
また、本実施例では、連結フレーム７１，７２は、直線状の第１連結フレーム部７１ａ，７２ａ及び第２連結フレーム部７１ｂ，７２ｂを左右にずらして互いの側面を溶着により固定することにより平面視略クランク状に形成されているため、１本のフレーム部材を屈曲させること等により形成するよりも簡単に平面視略クランク状の連結フレームを形成することができる。
【００５８】
また、本実施例では、連結フレーム７１，７２は、直線状の第１連結フレーム部７１ａ，７２ａ及び第２連結フレーム部７１ｂ，７２ｂを左右にずらして互いの側面を溶着により固定することにより平面視略クランク状に形成されていたが、本発明はこれに限定されるものではなく、第１連結フレーム部７１ａ，７２ａ及び第２連結フレーム部７１ｂ，７２ｂと、左右方向に離間して配置した第１連結フレーム部７１ａ，７２ａ及び第２連結フレーム部７１ｂ，７２ｂ間を接続する接続フレーム部とから構成されていてもよい。また、１本のフレームを平面視略クランク状に屈曲または湾曲させることにより形成されていてもよい。つまり、連結フレームは、前側の第２縦フレーム７６Ｆの背面から設置板１３Ｂａに設置されている複数のパチンコ遊技機２Ａの背面側、つまり、前列ＦＬに対し略直交する方向に向けて略水平に延設される第１連結フレーム部７１ａ，７２ａと、後側の第２縦フレーム７６Ｂの背面から設置板１３Ｂａに設置されている複数のパチンコ遊技機２Ａの背面側、つまり、後列ＢＬに対し略直交する方向に向けて略水平に延設される第２連結フレーム部７１ｂ，７２ｂを有していれば、上記形状に限定されるものではない。また、第１連結フレーム部７１ａ，７２ａの先端部の左側面と第２連結フレーム部７１ｂ，７２ｂの先端部の右側面とは溶着されていたが、ボルト等により連結されていてもよい。
【００５９】
さらに、上下の連結フレーム７１，７２は同形状に形成されていたが、本発明はこれに限定されるものではなく、下部の連結フレーム７１と上部の連結フレーム７２は形状が異なっていてもよい。例えば、上部の連結フレーム７２は、奥行きがあり背面側に大きく突出するパチンコ遊技機２Ａ、球貸処理機９０やメダル貸処理機９１等を避ける必要があるため、第１連結フレーム部７２ａや第２連結フレーム部７２ｂは前列ＦＬ、後列ＢＬに対し略直交する方向に向けて略水平に延設される方が好ましいが、下部の連結フレーム７１は、設置板１３Ｆａ，１３Ｂａに設置されるアウトタンク８や球貸処理機９０から下向きに延びる排出ノズル等の遊技球の排出部材を避けられればよいため、連結フレーム７１に関しては、前後の第２縦フレーム７６Ｆ，７６Ｂを前列ＦＬ、後列ＢＬに対し略直交する方向に対し斜めに配置した１本の連結フレームで連結するものであってもよい。
【００６０】
このように構成される下部ユニット６０は、左右一対の支持枠６６Ｌ，６６Ｒと、これら支持枠６６Ｌ，６６Ｒ間を連結する前後一対の連結ビーム６７Ｆ，６７Ｂと、により自立可能に構成され、下部レール（図示略）の長手方向にわたり所定間隔おき（例えば、１の下部ユニット６０間隔おき）に設置される。これにより、前支持枠７０Ｆ及び後支持枠７０Ｂが、左右方向、つまり、遊技島１の長手方向、つまり、前列ＦＬ方向及び後列ＢＬ方向に沿って所定の間隔を隔てて複数立設されることになる。そして後述するように、これら複数設置された前支持枠７０Ｆ間及び後支持枠７０Ｂ間には複数のパチンコ遊技機２Ａがそれぞれ設置されるようになっている。
【００６１】
また、これら支持枠６６Ｌ，６６Ｒの横フレーム７５Ｆ，７５Ｂには、四角筒状に形成された設置筒９５Ｆ，９５Ｂがネジ（図示略）等により着脱可能に取り付けられている。９５Ｆ，９５Ｂは、前側に立設される部材９５Ｆａ，９５Ｂａ、上面に延在する部材９５Ｆｂ，９５Ｂｂ、下部フレーム体１７３Ｆ，１７３Ｂに載置される部材９５Ｆｃ，９５Ｂｃ、第２縦フレーム７６Ｆ，７６Ｂに接して立設される部材９５Ｆｄ，９５Ｂｄとで形成されている。各設置筒９５Ｆ，９５Ｂの上面の部材９５Ｆｂ，９５Ｂｂに長板状の膳板１３Ｆ，１３Ｂが架け渡され、該膳板１３Ｆ，１３Ｂの上面に長板状の設置板１３Ｆａ，１３Ｂａが載置される。なお、部材９５Ｆｃ，９５Ｂ、部材９５Ｆｄ，９５Ｂｄは、上部フレーム体１７４Ｆ，１７４Ｂの上面側に設置するＬ字状の上方開放体を形成するので、前側に立設される部材９５Ｆａ，９５Ｂａ、上面に延在する部材９５Ｆｂ，９５Ｂｂよりも大きい寸法で形成されている。
【００６２】
膳板１３Ｆ，１３Ｂ及び設置板１３Ｆａ，１３Ｂａは、パチンコ遊技機２Ａ、封入式パチンコ遊技機２Ｂやスロットマシン２Ｃを設置可能な前後幅寸法を有し、遊技島１の長手方向に向けて延びる所定長さの帯状の板部材からなる。膳板１３Ｆ，１３Ｂの前後幅寸法は、設置板１３Ｆａ，１３Ｂａの前後幅寸法よりも長寸（例えば、約２倍）とされ、横フレーム７５Ｆ，７５Ｂ上に配置された状態において、膳板１３Ｆ，１３Ｂは設置板１３Ｆａ，１３Ｂａよりも遊技者側に突出するように設けられる。
【００６３】
これにより、躯体２０における下部ユニット６０と上部ユニット６１との間の前後面に、パチンコ遊技機２Ａやスロットマシン２Ｃなどの遊技機を設置可能な設置空間部ＳＦ，ＳＢが設けられる。詳しくは、前側の設置空間部ＳＦは、下部ユニット６０における各横フレーム７５Ｆ，７５Ｂの上面に膳板１３Ｆ，１３Ｂを介して架け渡される設置板１３Ｆａ，１３Ｂａと上部ユニット６１の下板５２との間に前面側に開放するように形成され、後側の設置空間部ＳＢは、下部ユニット６０における各横フレーム７５Ｆ，７５Ｂの上面に架け渡される設置板１３Ｆａ，１３Ｂａと上部ユニット６１との間に背面側に開放するように形成される。そして、前後の設置空間部ＳＦ，ＳＢに設置された遊技機の下面は、下部ユニット６０における横フレーム７５Ｆ，７５Ｂの上面により下方から支持され、該遊技機の上面は上部ユニット６１の下面により支持される。
【００６４】
また、支持枠６６Ｌ，６６Ｒにおける第１縦フレーム７４Ｆ，７４Ｂ間には、上支柱３１、下支柱３２、左右の支柱３３，３４、中支柱３５により四角枠状に形成された腰板枠３０Ｆ，３０Ｂが組み付けられる。腰板枠３０Ｆ，３０Ｂは、左右の支柱３３，３４を第１縦フレーム７４Ｆ，７４Ｂにビス等により止着することにより、上面が横フレーム７５Ｆ，７５Ｂの上面と面一をなすように取り付けられる。よって、上支柱３１の上面には膳板１３Ｆ，１３Ｂまたは設置板１３Ｆａ，１３Ｂａが載置され、該膳板１３Ｆ，１３Ｂまたは設置板１３Ｆａ，１３Ｂａを下方から支持する。そして、腰板枠３０Ｆ，３０Ｂの外面には、腰板１４Ｆ，１４Ｂが取り付けられることで、第１縦フレーム７４Ｆ，７４Ｂ間における膳板１３Ｆ，１３Ｂの下方に腰板１４Ｆ，１４Ｂが垂設される。
【００６５】
また、本実施例では、腰板１４Ｆ，１４Ｂの上下長さが第１縦フレーム７４Ｆ，７４Ｂよりも短寸に形成されているとともに、該腰板１４Ｆ，１４Ｂの下端が床面より上方に位置するように取り付けられることで、設置板１３Ｆａ，１３Ｂａの下方における左右の第１縦フレーム７４Ｆ，７４Ｂ間の少なくとも下部に遊技者側空間Ｓ１（図１１〜図１３参照）が形成される。
【００６６】
また、上部フレーム体１７４Ｆ，１７４Ｂには、上部ユニット６１が取り付けられる。上部ユニット６１は、図３及び図４に示すように、左右の上部フレーム体１７４Ｆ，１７４Ｂに架設される長板状の上板５１、下板５２、左右の側板５３，５４により四角枠状に形成された幕板枠５５Ｆ，５５Ｂと、幕板枠５５Ｆ，５５Ｂの前面または背面側に上辺を中心として回動可能に支持される幕板５０Ｆ，５０Ｂ（図２参照）と、により構成される。幕板５０Ｆ，５０Ｂには、遊技店員を呼出す呼出しスイッチ（図示略）や遊技に関する情報の表示が可能、つまり、遊技店員の呼出しや遊技に関連する情報の報知等が可能な報知装置としての呼出しランプ５６が配設される。
【００６７】
また、幕板枠５５Ｆ，５５Ｂにおける左右方向の略中央位置には、仕切板５７，５８が所定の間隔を隔てて配設されており、これら仕切板５７，５８の間に、例えば、紙幣受付装置などを設置することができるようになっている。このように構成された上部ユニット６１は、左右の側板５３，５４を上部フレーム体１７４Ｆ，１７４Ｂの上端に固定された取付金具１７５にネジ等により止着される。
【００６８】
次に、躯体２０への各種部材の大まかな組付工程の一例について、図８（Ａ）（Ｂ）及び図９（Ａ）（Ｂ）に基づいて説明する。
【００６９】
まず、図８（Ａ）に示すように、各上部フレーム体１７４Ｆ，１７４Ｂ間に、幕板枠５５Ｆ，５５Ｂを取付金具１７５，１７５を介して上部フレーム体１７４Ｆ，１７４Ｂに取り付ける。また、各第１縦フレーム７４Ｆ，７４Ｂ間に腰板枠３０Ｆ，３０Ｂを取り付ける。そして、図８（Ｂ）に示すように、横フレーム７５Ｆ，７５Ｂ間における腰板枠３０Ｆ，３０Ｂの上部に設置筒９５Ｆ，９５Ｂを載置するとともに、該設置筒９５Ｆ，９５Ｂの上面に膳板１３Ｆ，１３Ｂを載置し、さらに膳板１３Ｆ，１３Ｂの上面に設置板１３Ｆａ，１３Ｂａを載置して固定する。
【００７０】
次いで、図９（Ｃ）に示すように、取付部材５００Ｆ，５００Ｂの下片５００ｃの上面に、回収樋９Ｌ，９Ｒの前後の側板９ａ，９ｂの外面上部に取り付けられる取付支柱９ｆを載置してビス（図示略）等を止着して、側板９ａ，９ｂを下部ユニット６０に取り付けた後、図９（Ｄ）に示すように、前後の側板９ａ，９ｂの取付支柱９ｇ，９ｇ上に底板９ｅを載置してビス（図示略）により止着することで、上面が開口する箱状の回収樋９Ｌ，９Ｒを構成する。尚、回収樋９Ｌ，９Ｒは、上記のように先に側板９ａ，９ｂを下部ユニット６０に取り付けた後、底板９ｅを側板９ａ，９ｂ間に上方から配置することができるため、予め一体に構成された回収樋９Ｌ，９Ｒを下部ユニット６０に組み付ける場合に比べて、容易に構成することができる。
【００７１】
また、幕板枠５５Ｆ，５５Ｂの外面には幕板５０Ｆ，５０Ｂが各々取り付けられ、腰板枠３０Ｆ，３０Ｂの外面には腰板１４Ｆ，１４Ｂが各々取り付けられる。このように、下部ユニット６０及び上部ユニット６１からなる躯体２０に幕板枠５５Ｆ，５５Ｂ、腰板枠３０Ｆ，３０Ｂ、設置筒９５Ｆ，９５Ｂ、設置板１３Ｆａ，１３Ｂａ、膳板１３Ｆ，１３Ｂ、回収樋９Ｌ，９Ｒ等を組み付けることで、遊技島１が構成される。
【００７２】
尚、上記工程はあくまで一例であって、必ずしも上記工程に限定されるものではなく、組付順序は変更可能である。
【００７３】
また、本実施例では、取付部材５００Ｆ，５００Ｂには側板９ａ，９ｂの取付支柱９ｆのみが取り付けられるようになっていたが、本発明はこれに限定されるものではなく、例えば、図１０に示すように、上片５００ａの下面に腰板枠３０Ｆ，３０Ｂの上支柱３１を当接させてビス等を上方から止着することで、腰板枠３０Ｆ，３０Ｂを取付部材５００Ｆ，５００Ｂを介して下部ユニット６０に組み付けできるようにしてもよい。
【００７４】
図１１に示すように、パチンコ遊技機２Ａは、遊技を行うために遊技球を遊技領域（図示略）に発射する際に遊技者により操作されるハンドルなどの操作部２ａが、遊技機本体の下部位置に配設されている。よって、パチンコ遊技機２Ａを設置部に設置する場合、横フレーム７５Ｆ，７５Ｂの上面に設置筒９５Ｆ，９５Ｂを配置して横フレーム７５Ｆ，７５Ｂよりも上方位置に遊技機の支持面を形成する。具体的には、遊技島１の長手方向である左右方向（前列ＦＬ及び後列ＢＬ）に沿って各設置筒９５Ｆ，９５Ｂの上面に膳板１３Ｆ，１３Ｂ及び設置板１３Ｆａ，１３Ｂａを配設し、この設置板１３Ｆａ，１３Ｂａ上にパチンコ遊技機２Ａの下面を釘（図示略）等により固定する。また、設置筒９５Ｆ，９５Ｂの上面に合わせて、第２縦フレーム７６Ｆ，７６Ｂに対して上部フレーム体１７４Ｆ，１７４Ｂを上昇させて所定の高さ位置にて保持することで設置空間部ＳＦ，ＳＢの上下幅寸法が確保され、パチンコ遊技機２Ａの上面を釘（図示略）等により上部ユニット６１，６１の下面に固定することによって、パチンコ遊技機２Ａを設置空間部ＳＦ，ＳＢに設置固定することができる。また、上部フレーム体１７４Ｆ，１７４Ｂにそれぞれ形成された５１Ａに跨らせて板体Ｑ１を載置することで遊技機設置島内にゴミなどが入ることを防止できる。
【００７５】
図１２に示すように、封入式パチンコ遊技機２Ｂは、遊技を行うために遊技球を遊技領域（図示略）に発射する際に遊技者により操作されるハンドルなどの操作部２ａが、遊技機本体の下部位置に配設されている。よって、封入式パチンコ遊技機２Ｂを設置部に設置する場合、横フレーム７５Ｆ，７５Ｂの上面に設置筒９５Ｆ，９５Ｂを配置して横フレーム７５Ｆ，７５Ｂよりも上方位置に遊技機の支持面を形成する。具体的には、遊技島１の長手方向である左右方向（前列ＦＬ及び後列ＢＬ）に沿って各設置筒９５Ｆ，９５Ｂの上面に設置板１３Ｆａ，１３Ｂａを架設し、この設置板１３Ｆａ，１３Ｂａ上に封入式パチンコ遊技機２Ｂの下面を釘（図示略）等により固定する。また、設置筒９５Ｆ，９５Ｂの上面に合わせて、第２縦フレーム７６Ｆ，７６Ｂに対して上部フレーム体１７４Ｆ，１７４Ｂを上昇させて所定の高さ位置にて保持することで設置部の上下幅寸法が確保され、封入式パチンコ遊技機２Ｂの上面を釘（図示略）等により上部ユニット６１の下面に固定することによって、封入式パチンコ遊技機２Ｂを設置部に設置固定することができる。また、上部フレーム体１７４Ｆ，１７４Ｂにそれぞれ形成された溝５１Ａに板体Ｑ１を載置することで遊技機設置島内にゴミなどが入ることを防止できる。
【００７６】
一方、図１３に示すように、スロットマシン２Ｃは、遊技を行うためにメダルを投入したり、複数種類の図柄が可変表示される可変表示装置（リール）の回転を開始または停止する各種スイッチなどの操作部３ａが、遊技機本体の上下方向の略中央位置に配設されている。よって、スロットマシン２Ｃを設置空間部ＳＦ，ＳＢに設置する場合、横フレーム７５Ｆ，７５Ｂの上面（第１支持面）に設置板１３Ｆａ，１３Ｂａのみを配設し、この設置板１３Ｆａ，１３Ｂａ上にスロットマシン２Ｃの下面を釘（図示略）等により固定する。また、横フレーム７５Ｆ，７５Ｂの上面に合わせて、第２縦フレーム７６Ｆ，７６Ｂに対して上部フレーム体１７４Ｆ，１７４Ｂを下降させて下限位置にて保持することで設置空間部ＳＦ，ＳＢの上下幅寸法が確保され、スロットマシン２Ｃの上面を釘（図示略）等により上部ユニット６１，６１の下面に固定することによって、スロットマシン２Ｃを設置空間部ＳＦ，ＳＢに設置固定することができる。
【００７７】
また、設置筒９５Ｆ、９５Ｂを分解した一部である、部材９５Ｆｃ、９５Ｆｄ、部材９５Ｂｃ、９５Ｂｄを上部フレーム体１７４Ｆ，１７４Ｂの上面に図示しないボルトなどで固定する。立壁部分である部材９５Ｆｄ、９５Ｂｄが遊技者から遠い方にくるように設置する。これによれば、部材９５Ｆｄ、部材９５Ｂｄにより遊技機設置島内を覗かれることを防止できるとともに、部材９５Ｆｃ、部材９５Ｂｄに荷物などを載せることもでき、さらに、部材９５Ｆｄ、９５Ｂｄを遊技者から遠い方に設けたので遊技者が閉塞感を感じることを抑制できる。また、部材９５Ｆａ、９５Ｆｂ、部材９５Ｂａ、９５Ｂｂを取り外しているので遊技者の視認性を妨げることがないので好ましい。なお、部材９５Ｆｄ、９５Ｂｄに板体Ｑ２で塞ぐことで遊技機設置島内にゴミなどが入ることを防止できる。なお、部材９５Ｆｄ、９５Ｂｄに溝を形成することで板体Ｑ２を安定して保持することができる。
【００７８】
このように本実施例の躯体２０には、パチンコ遊技機２Ａ、封入式パチンコ遊技機２Ｂやスロットマシン２Ｃ等の遊技機を設置するための複数の設置空間部ＳＦ，ＳＢが長手方向（左右方向）に向けて設けられる。また、パチンコ遊技機２Ａの場合、図１１に示すように、遊技者がパチンコ遊技機２Ａにて遊技を行った結果、該パチンコ遊技機２Ａから払い出された遊技球を排出可能な排出口（図示略）が設けられており、該排出口（図示略）から排出された遊技球を、膳板１３Ｆ，１３Ｂの上面に載置された球計数装置２１の球受部（図示略）にて受け入れるようになっているため、パチンコ遊技機２Ａは、膳板１３Ｆ，１３Ｂを必要とする遊技機とされている。よって、パチンコ遊技機２Ａが設置される設置部には、横フレーム７５Ｆ，７５Ｂの上面に取り付けた設置筒９５Ｆ，９５Ｂの上面（第２支持面）に膳板１３Ｆ，１３Ｂが載置され、該膳板１３Ｆ，１３Ｂの上面に設置板１３Ｆａ，１３Ｂａが載置される。つまり、膳板１３Ｆ，１３Ｂは、パチンコ遊技機２Ａの排出口（図示略）の直下に球計数装置２１を載置可能に設けられ、パチンコ遊技機２Ａから払い出された遊技球を受け入れる球計数装置２１を載置するための載置板を構成している。
【００７９】
尚、本実施例では、膳板１３Ｆ，１３Ｂにおける各パチンコ遊技機２Ａに対応して球計数装置２１が設置されていたが、本発明はこれに限定されるものではなく、パチンコ遊技機２Ａから払い出された遊技球を受け入れる球箱（図示略）等が載置されてもよい。
【００８０】
一方、スロットマシン２Ｃの場合、図１３に示すように、遊技者がスロットマシン２Ｃにて遊技を行った結果、該スロットマシン２Ｃから払い出されたメダルを貯留可能な下皿３ｂの下面に、払い出されたメダルを排出可能な排出口は存在せず、該排出口から排出されたメダルを膳板１３Ｆ，１３Ｂの上面に載置されたメダル箱（図示略）にて受け入れて貯留することはないので、スロットマシン２Ｃは、膳板１３Ｆ，１３Ｂを必要としない遊技機とされている。よって、スロットマシン２Ｃが設置される設置空間部ＳＢ，ＳＢには、横フレーム７５Ｆ，７５Ｂの上面に設置板１３Ｆａ，１３Ｂａが直接載置される。
【００８１】
また、本実施例の遊技島１の設置空間部ＳＢ，ＳＢは、第１装置としての球貸処理機９０が各パチンコ遊技機２Ａまたは封入式パチンコ遊技機２Ｂの左側方に配置される第１態様と、第２装置としてのメダル貸処理機９１が各スロットマシン２Ｃの右側方に配置される第２態様と、のいずれかに変更可能に構成されている。
【００８２】
尚、本実施例では、パチンコ遊技機２Ａは、払い出された遊技球を排出可能な排出口（図示略）を有し、球計数装置２１を載置するための膳板１３Ｆ，１３Ｂが必要な遊技機であり、スロットマシン２Ｃは、払い出されたメダルを排出可能な排出口を有しておらず、メダル箱を載置するための膳板１３Ｆ，１３Ｂが不要な遊技機であったが、パチンコ遊技機２Ａが、払い出された遊技球を排出可能な排出口を有しておらず、球計数装置２１を載置するための膳板１３Ｆ，１３Ｂが不要な遊技機であってもよいし、スロットマシン２Ｃが、払い出されたメダルを排出可能な排出口を有し、メダル箱を載置するための膳板１３Ｆ，１３Ｂが必要な遊技機であってもよい。
【００８３】
また、第２縦フレーム７６Ｆ，７６Ｂに対して上部フレーム体１７４Ｆ，１７４Ｂを昇降させて上限位置や下限位置に高さ位置調整できることで、パチンコ遊技機２Ａ及び封入式パチンコ遊技機２Ｂやスロットマシン２Ｃの上面に対する上部ユニット６１の高さ位置関係が変化することがないので、遊技者に違和感を与えることがない。例えば、上部ユニット６１の高さ位置を、パチンコ遊技機２Ａ及び封入式パチンコ遊技機２Ｂに対応する高さ位置に合わせて固定してしまう場合、スロットマシン２Ｃを設置したときに、スロットマシン２Ｃの上面と上部ユニット６１との間に隙間が生じてしまうので、違和感を与えてしまうばかりか、スロットマシン２Ｃから離れてしまうため、例えば、呼出しランプ５６に遊技に関する情報（例えば、大当り回数やスランプグラフなど）が表示される場合に、スロットマシン２Ｃにて遊技を行っている遊技者がその情報を見るときに、目線を大きくずらさなければならなくなるため、情報の視認性が損なわれることになる。よって、第１支持面や第２支持面に合わせて第２縦フレーム７６Ｆ，７６Ｂに対して上部フレーム体１７４Ｆ，１７４Ｂを昇降させることで、情報が見難くなることを防止できる。さらにその上側に上方開放部材である部材９５Ｆｃ、９５Ｆｄ、部材９５Ｂｃ、９５Ｂｄを設けることで、上部フレーム体１７４Ｆ，１７４Ｂの上側から遊技機設置島内を覗かれてしまうことを防止できる。
【００８４】
尚、本実施例では、設置空間部ＳＦ，ＳＢにパチンコ遊技機２Ａを設置されていたが、例えば、一方の設置空間部ＳＦにパチンコ遊技機２Ａを設置し、他方の設置空間部ＳＢにスロットマシン２Ｃを設置するなど、前列ＦＬと後列ＢＬで異なる遊技機を設置してもよいし、あるいは、前列ＦＬまたは後列ＢＬ各々に異なる遊技機が並設されていてもよい。
【００８５】
また、図２に示す躯体２０における前後の設置空間部ＳＦ，ＳＢ間の上方には、それぞれの遊技機に対応して配置される球貸処理機９０やメダル貸処理機９１に投入された紙幣を搬送する紙幣搬送ユニット（図示略）が長手方向にわたり延設されていてもよい。尚、この場合、紙幣搬送ユニット（図示略）は幕板枠５５Ｆ，５５Ｂの仕切板５７，５８間に形成された取付部に配設される。また、スロットマシン２Ｃの上方には、スロットマシン２Ｃに補給するメダルを搬送するメダル補給ユニット（図示略）が長手方向にわたり延設されているとともに、スロットマシン２Ｃの下方位置には、スロットマシン２Ｃからオーバーフローして排出されたメダルを搬送するメダル回収ユニット（図示略）が長手方向にわたり延設されていてもよい。
【００８６】
次に、前支持枠７０Ｆ及び後支持枠７０Ｂとパチンコ遊技機２Ａ、球貸処理機９０、メダル貸処理機９１、スペーサ板９２の配置状況の一例について、図１４に基づいて説明する。図１４は、（Ａ）は実施例の遊技島における遊技機等の設置状況を示す概略平面図、（Ｂ）は従来の遊技島における遊技機等の設置状況を示す概略平面図である。
【００８７】
図１４（Ａ）に示すように、左右方向に延びる前列ＦＬに沿って架設された設置板１３Ｆａ上には、複数のパチンコ遊技機２Ａが所定間隔おきに設置されている。尚、前列ＦＬのパチンコ遊技機２Ａは正面が前側を向き、後列ＢＬのパチンコ遊技機２Ａは正面が後側を向くように設置される。そして、前列ＦＬの複数のパチンコ遊技機２Ａと後列ＢＬの複数のパチンコ遊技機２Ａは、互いに列方向（左右方向）の同位置において互いの背面が対向するように配置されている。
【００８８】
尚、後列ＢＬの複数のパチンコ遊技機２Ａは、前列ＦＬの複数のパチンコ遊技機２Ａに対応する位置に設置されていれば、互いに列方向（左右方向）の同位置から若干左右方向にずれた位置に配設されていてもよい。
【００８９】
また、各パチンコ遊技機２Ａを正面から見たときの左側方には球貸処理機９０が設置される一方、各パチンコ遊技機２Ａを正面から見たときの右側方にはスペーサ板９２が設置される。言い換えると、前列ＦＬの各パチンコ遊技機２Ａを正面から見たときの左側方には球貸処理機９０が設置され、右側方にはスペーサ板９２が設置される一方、後列ＢＬの各パチンコ遊技機２Ａを遊技島１の前側から見たときの右側方には球貸処理機９０が設置され、左側方にはスペーサ板９２が設置されることになる。また、各球貸処理機９０とスペーサ板９２との間には、前支持枠７０Ｆ及び後支持枠７０Ｂの左右幅寸法Ｌ２３分の設置スペースが確保される。
【００９０】
すなわち、例えば、前列ＦＬの各パチンコ遊技機２Ａの左側方の球貸処理機９０の真後ろには、後列ＢＬのパチンコ遊技機２Ａの右側方のスペーサ板９２が設置され、前列ＦＬの各パチンコ遊技機２Ａの右側方のスペーサ板９２の真後ろには、後列ＢＬのパチンコ遊技機２Ａの左側方の球貸処理機９０が設置される。また、球貸処理機９０やメダル貸処理機９１は、設置板１３Ｆａ，１３Ｂａ上に設置したとき、前支持枠７０Ｆと後支持枠７０Ｂの第２縦フレーム７６Ｆ，７６Ｂに接触する奥行き寸法を有しているため、各パチンコ遊技機２Ａと球貸処理機９０及びメダル貸処理機９１は、左右の前支持枠７０Ｆ，７０Ｆと後支持枠７０Ｂ，７０Ｂとの間に設置される。
【００９１】
これら各パチンコ遊技機２Ａと球貸処理機９０及びメダル貸処理機９１は、前後方向に所定の奥行き寸法を有していることで、設置板１３Ｆａ，１３Ｂａ上に設置したとき、これらの少なくとも一部が前支持枠７０Ｆ及び後支持枠７０Ｂに対し列方向に重畳するため、各パチンコ遊技機２Ａと球貸処理機９０及びメダル貸処理機９１を前支持枠７０Ｆ及び後支持枠７０Ｂに対応する位置に配置することはできない。
【００９２】
図１４（Ｂ）に示す従来例では、直線状の連結フレームにて連結された前支持枠７０Ｆと後支持枠７０Ｂが列方向の同位置に配置されることで、設置する遊技機をパチンコ遊技機２Ａや封入式パチンコ遊技機２Ｂからスロットマシン２Ｃに変更可能とする場合、パチンコ遊技機２Ａの左右両側方にメダル貸処理機９１の左右幅寸法Ｌ２２を確保しなければならない。しかし、図１４（Ａ）に示すように、本実施例では、連結フレーム７１，７２により、前支持枠７０Ｆと後支持枠７０Ｂが列方向に異なる位置に設置されることで、図中に示す左右幅寸法Ｓ分、パチンコ遊技機２Ａと球貸処理機９０及びスペーサ板９２を図中左側の島端側に詰めて設置することが可能となる。
【００９３】
よって、ｎ台（ｎ＝２以上の整数）のパチンコ遊技機２Ａと球貸処理機９０及びスペーサ板９２を左側に詰めて設置していくと、左右幅寸法Ｓｎ分、従来に比べて遊技島１の列方向の長さを短寸化することができるばかりか、遊技店は、詰めた分だけ多くの遊技機を設置することが可能となる。
【００９４】
また、設置板１３Ｆａ，１３Ｂａに封入式パチンコ遊技機２Ｂを設置する場合、パチンコ遊技機２Ａの場合と同様に、各封入式パチンコ遊技機２Ｂの左側方に球貸処理機９０が配置され、右側方にスペーサ板９２が配置される。また、設置板１３Ｆａ，１３Ｂａにスロットマシン２Ｃを設置する場合、特に図示しないが、各スロットマシン２Ｃの左側方にスペーサ板９２が配置され、右側方にメダル貸処理機９１が配置される。
【００９５】
以上説明したように、本発明の実施例としての遊技島１にあっては、前列ＦＬ方向に間隔を隔てて立設される複数の第１支持フレームとしての前支持枠７０Ｆと、該前列ＦＬ方向に沿う後列ＢＬ方向に該複数の前支持枠７０Ｆ各々に対応して立設される複数の後支持枠７０Ｂと、複数の前支持枠７０Ｆに支持される設置板１３Ｆａと、複数の後支持枠７０Ｂに支持される設置板１３Ｂａと、を備え、設置板１３Ｆａの前列ＦＬ方向に間隔を隔てて複数のパチンコ遊技機２Ａが設置されるとともに、設置板１３Ｂａにおける、設置板１３Ｆａに設置された複数のパチンコ遊技機２Ａ各々に対応する位置に複数のパチンコ遊技機２Ａが設置され、設置板１３Ｆａに設置される複数のパチンコ遊技機２Ａと設置板１３Ｂａに設置される複数のパチンコ遊技機２Ａの背面が対向する遊技島１であって、前支持枠７０Ｆ及び後支持枠７０Ｂは、前支持枠７０Ｆ間及び後支持枠７０Ｂ間各々に、少なくとも一のパチンコ遊技機２Ａと、該一のパチンコ遊技機２Ａの正面から見て左側方に配置される第１装置としての球貸処理機９０または該一のパチンコ遊技機２Ａの正面から見て右側方に配置され球貸処理機９０とは前列ＦＬ，後列ＢＬ方向の寸法が異なる第２装置としてのメダル貸処理機９１を設置可能な間隔を隔てて立設され、前支持枠７０Ｆ各々と該複数の前支持枠７０Ｆ各々に対応する複数の後支持枠７０Ｂ各々とを連結する連結フレーム７１，７２を備え、連結フレーム７１，７２は、前支持枠７０Ｆから設置板１３Ｆａに設置されるパチンコ遊技機２Ａの背面側に向けて延設される第１連結フレーム部７１ａ，７２ａと、後支持枠７０Ｂから設置板１３Ｂａに設置されるパチンコ遊技機２Ａの背面側に向けて延設され第１連結フレーム部７１ａ，７２ａに対し前列ＦＬ，後列ＢＬ方向にずれた位置に配置される第２連結フレーム部７１ｂ，７２ｂと、を有する。
【００９６】
このように、連結フレーム７１，７２が、第１連結フレーム部７１ａ，７２ａと該第１連結フレーム部７１ａ，７２ａに対し左右方向にずれた位置に配置される第２連結フレーム部７１ｂ，７２ｂとを有することで、設置板１３Ｆａに設置されたパチンコ遊技機２Ａの右側方のメダル貸処理機９１に近接して前支持枠７０Ｆを配置したときに、設置板１３Ｂａに対応して設置されたパチンコ遊技機２Ａの左側方の球貸処理機９０に近接して後支持枠７０Ｂが配置される。つまり、球貸処理機９０とメダル貸処理機９１との列方向の寸法の差分だけパチンコ遊技機２Ａを列方向に詰めて設置できるため、従来の遊技島に比べて、遊技島１の列方向の長さを短くしたり遊技機を増台することが可能となる。
【００９７】
また、第１連結フレーム部７１ａ，７２ａと第２連結フレーム部７１ｂ，７２ｂは、列方向に対し直交する方向に向けて直線状に延設されていることで、左右方向の異なる位置に立設された前支持枠７０Ｆと後支持枠７０Ｂを直線状の連結フレームを斜めに配置することで連結する場合に比べて、奥行きがある球貸処理機９０やメダル貸処理機９１の側方に近接して配設することができる。すなわち、第１連結フレーム部７１ａ，７２ａと第２連結フレーム部７１ｂ，７２ｂは、少なくとも遊技機や球貸処理機９０及びメダル貸処理機９１の背面よりも突出する長さを有し、設置板１３Ｆａに設置された遊技機や球貸処理機９０及びメダル貸処理機９１の背面と、設置板１３Ｂａに設置された遊技機や球貸処理機９０及びメダル貸処理機９１の背面との間で左右方向に接続されていることが好ましい。
【００９８】
また、本実施例では、設置板１３Ｆａ，１３Ｂａにパチンコ遊技機２Ａを設置する場合において、各パチンコ遊技機２Ａの右側方にスペーサ板９２を配設しているが、本発明はこれに限定されるものではなく、このようなスペーサ板９２の替わりに、前述したユーティリティーユニットを配置してもよい。
【００９９】
また、本実施例では、連結フレーム７１，７２にて連結された前支持枠７０Ｆ及び後支持枠７０Ｂからなる左右の支持枠６６Ｌ，６６Ｒが連結ビーム６７Ｆ，６７Ｂにて一体化されることにより下部ユニット６０が構成されていたが、本発明はこれに限定されるものではなく、左右の支持枠６６Ｌ，６６Ｒは連結されず各々が独立して立設されるようになっていてもよい。
【０１００】
また、前支持枠７０Ｆ及び後支持枠７０Ｂは、前支持枠７０Ｆ間及び後支持枠７０Ｂ間に設置板１３Ｆａ，１３Ｂａを架設することができるようになっていれば、形状は上記のものに限定されるものではなく、種々に変更可能である。
【０１０１】
また、本実施例では、第１装置や第２装置の一例として、球貸処理機９０やメダル貸処理機９１を記載しているが、本発明はこれに限定されるものではなく、遊技機を正面から見て左右側方のいずれかに設置可能なものであれば、例えば、遊技機に関連して設置される他の遊技用装置であってもよいし、あるいは、空気清浄器、分煙ボード、吸殻回収部、機種説明冊子等の設置部等を有するユーティリティーユニットなどの対応する遊技機に関連しない装置であってもよい。
【０１０２】
また、前支持枠７０Ｆと後支持枠７０Ｂとの間に前列ＦＬ，後列ＢＬ方向に延設され、複数のパチンコ遊技機２Ａから排出される遊技球を回収する回収樋９Ｌ，９Ｒと、設置板１３Ｆａ及び設置板１３Ｂａの下方に列方向に沿って配設される腰板１４Ｆ，１４Ｂを取り付けるための腰板枠３０Ｆ，３０Ｂと、を備え、前支持枠７０Ｆ及び後支持枠７０Ｂには、回収樋９Ｌ，９Ｒと腰板枠３０Ｆ，３０Ｂとを取り付ける取付部材５００Ｆ，５００Ｂが設けられていることで、回収樋９Ｌ，９Ｒと腰板枠３０Ｆ，３０Ｂとを容易に取り付けることができる。
【０１０３】
また、回収樋９Ｌ，９Ｒは、底板９ｅと、該底板９ｅに前列ＦＬ，後列ＢＬ方向に沿って立設される側板９ａ，９ｂと、から構成されることで、回収樋９Ｌ，９Ｒを容易に組み立てることができる。
【０１０４】
また、回収樋９Ｌ，９Ｒは、側板９ａ，９ｂに対し直交し、かつ、底板９ｅとの間に遊技球が通過可能な間隔を隔てて配置される仕切板９ｈを備えることで、遊技球を貯留することが可能となる。
【０１０５】
前支持枠７０Ｆ間及び後支持枠７０Ｂ間におけるパチンコ遊技機２Ａ、封入式パチンコ遊技機２Ｂ、スロットマシン２Ｃなどの上方に架設される幕板枠５５Ｆ，５５Ｂを備え、幕板枠５５Ｆ，５５Ｂは、紙幣を受け付ける紙幣ユニットの取付部としての仕切板５７，５８間に形成された取付部が設けられていることで、紙幣ユニットを容易に取り付けることができる。
【０１０６】
また、本実施例では、遊技機が設置される設置部を構成する設置板１３Ｆａ，１３Ｂａと、遊技機から払い出された遊技媒体を受け入れる箱体を載置するための膳板１３Ｆ，１３Ｂと、は別個に構成されていたが、これら設置板１３Ｆａ，１３Ｂａと膳板１３Ｆ，１３Ｂとが一体化されていてもよい。この場合、設置板１３Ｆａ，１３Ｂａと膳板１３Ｆ，１３Ｂとが一体化された合板を設けた場合は第１態様となり、設置板１３Ｆａ，１３Ｂａのみを設けた場合は第２態様となる。また、膳板１３Ｆ，１３Ｂの上面に設置板１３Ｆａ，１３Ｂａを介さずに直接遊技機を載置するようにしてもよい。
【０１０７】
また、遊技機は、当該遊技機から払い出された遊技媒体を箱体に排出する排出口（図示略）を有する遊技機（例えば、パチンコ遊技機２Ａ）と前記排出部を有しない遊技機（例えば、スロットマシン２Ｃ／封入式パチンコ遊技機２Ｂ）とを含み、遊技島１は、パチンコ遊技機２Ａを設置するときは図１１に示す態様）とし、封入式パチンコ遊技機２Ｂやスロットマシン２Ｃを設置するときには図１２または図１３に示す態様に変更可能であることで、パチンコ遊技機２Ａとスロットマシン２Ｃ／封入式パチンコ遊技機２Ｂとを個別または併設することができる。
【０１０８】
また、図１５（Ａ）に示すように、遊技島１は、設置板１３Ｆａ，１３Ｂａが、遊技機にて遊技を行う遊技者側から見て腰板１４Ｆ，１４Ｂの奥側に配設される回収樋９Ｌ，９Ｒが不要な第１遊技機としての封入式パチンコ遊技機２Ｂやスロットマシン２Ｃと、図１５（Ｂ）に示すように、回収樋９Ｌ，９Ｒが必要な第２遊技機としての通常のパチンコ遊技機２Ａと、を含む複数種類の遊技機を設置可能であり、第１遊技機に対応可能な態様（設置板１３Ｆａ，１３Ｂａに封入式パチンコ遊技機２Ｂ、スロットマシン２Ｃ）が設置されるときの態様）であって腰板１４Ｆ，１４Ｂにより設置板１３Ｆａ，１３Ｂａの下方における左右の第１縦フレーム７４Ｆ，７４Ｂ間の少なくとも下部に遊技者側空間Ｓ１が形成される第１態様（例えば、図１５（Ａ）参照）と、第２遊技機に対応可能な態様（設置板１３Ｆａ，１３Ｂａにパチンコ遊技機２Ａが設置されるときの態様）であって設置板１３Ｆａ，１３Ｂａの下方における左右の第１縦フレーム７４Ｆ，７４Ｂ間に遊技者側空間Ｓ１が形成されない第２態様（例えば、図１５（Ｂ）参照）と、のいずれかに変更可能としてもよい。
【０１０９】
尚、図１５（Ａ）に示すように、第２態様とする場合、回収樋９Ｌは除去してしまうとともに、腰板１４Ｆ，１４Ｂよりも上下長さが短寸の腰板１４Ｆ’，１４Ｂ’に変更すればよい。
【０１１０】
このようにすることで、遊技島１を第１態様とすることで、遊技者の脚が第１縦フレーム７４Ｆ，７４Ｂ間に形成された遊技者側空間Ｓ１を介して膳板１３Ｆ，１３Ｂより奥側に挿入可能となり、遊技島１を第２態様とすることで、遊技者の脚が膳板１３Ｆ，１３Ｂより奥側に入り込むことが防止されるため、遊技機に関連する関連設備（例えば、回収樋９Ｌ，９Ｒ等）が必要な遊技機が設置されたときと関連設備（例えば、回収樋９Ｌ，９Ｒ等）が不要な遊技機が設置されたときとで、膳板１３Ｆ，１３Ｂの下方の態様を設置された遊技機に適した態様に変更することができる。
【０１１１】
次に、揚送清浄装置２５の詳細な構造について説明する。図１６は、（Ａ）は揚送清浄装置を斜め前から見た斜視図、（Ｂ）は揚送清浄装置を斜め後ろから見た斜視図である。図１７は、揚送清浄装置の内部構造を示す断面図である。図１８は、図１７のＣ−Ｃ断面図である。
【０１１２】
揚送清浄装置２５は、図１６及び図１７に示されるように、床面（設置面）上にアンカー固定されるベース板１１０上に立設される上下方向に延びる本体１００と、本体１００の上部（遊技球の移送方向の下流側）に設けられた左右方向（水平方向）を向く回転軸１０１ａ周りに回動自在に設けられる上部ローラ１０１と、本体１００の下部（遊技球の移送方向の下流側）に設けられた左右方向（水平方向）を向く回転軸１０２ａ周りに回動自在に設けられる下部ローラ１０２と、これら上部ローラ１０１と下部ローラ１０２とに掛け渡される所定幅を有する無端帯状の搬送ベルト１０３と、本体１００の後面側の一側辺を中心に回動自在に設けられ、搬送ベルト１０３の上昇路に対向して配置される上下方向に延びる直線状通路１１５（図１７参照）を形成する直線状通路カバー１０４と、下部ローラ１０２の下方に配置され、搬送ベルト１０３に遊技球を押圧するために該下部ローラ１０２の外周面に沿って略円弧状に形成されたアール状通路部材としてのアール状通路カバー１０５と、該下部ローラ１０２の下方におけるアール状通路カバー１０５の反対側に対向して配置され、アール状通路カバー１０５に遊技球を誘導する球導入部材としての球導入通路カバー１０６と、搬送ベルト１０３の下降路に対向して配置される背面通路カバー１２２と、から主に構成されている。
【０１１３】
本体１００は、図１７及び図１８に示すように、長板状の第１フレーム板としてのフレーム板１００Ｌと、該フレーム板１００Ｌに対し離れて並設される長板状の第２フレーム板としてのフレーム板１００Ｒと、これら左右のフレーム板１００Ｌ，１００Ｒの間における長手方向の一端側と他端側とに架設される２つの回転軸１０１ａ，１０２ａと、左右のフレーム板１００Ｌ，１００Ｒの前側辺に沿うように回転軸１０１ａ，１０２ａの間に所定間隔おきに複数設けられ、該左右のフレーム板１００Ｌ，１００Ｒに両端が支持された複数のガイド軸１０９ａと、左右のフレーム板１００Ｌ，１００Ｒの後側辺における回転軸１０２ａの近傍位置に設けられ、該左右のフレーム板１００Ｌ，１００Ｒに両端が支持されたガイド軸１０７ａと、から構成され、これら回転軸１０１ａ，１０２ａ、ガイド軸１０９ａ、ガイド軸１０７ａにより左右一対のフレーム板１００Ｌ，１００Ｒが互いに平行をなすように離間配置された状態で一体化されている。
【０１１４】
尚、左右のフレーム板１００Ｌ，１００Ｒの下端は支持部材（図示略）等によりベース板１１０に固定されている。また、フレーム板１００Ｌ，１００Ｒの後長辺１００ａ，１００ｂにおける下部ローラ１０２とガイドローラ１０７との間には、側面視略三角形状をなす切欠凹部１５０ａ，１５０ｂがそれぞれ形成されている。切欠凹部１５０ａ，１５０ｂは、フレーム板１００Ｌ，１００Ｒにおいて搬送ベルト１０３を挟んで対向する後長辺１００ａ，１００ｂの長手方向の同位置に形成されている。
【０１１５】
ガイド軸１０７ａにはガイドローラ１０７が回動可能に設けられ、各ガイド軸１０９ａにはガイドローラ１０９が回動可能に設けられている。また、フレーム板１００Ｌ，１００Ｒそれぞれの後長辺１００ａ，１００ｂには、後端面１００ｃ，１００ｄそれぞれに突設された前後方向を向くガイド軸１４０ａ周りに回動可能に設けられたガイドローラ１４０が、後長辺１００ａ，１００ｂそれぞれの長手方向に向けて所定間隔おきに複数設けられている。このように、上部ローラ１０１と下部ローラ１０２とに掛け渡された搬送ベルト１０３は、複数のガイドローラ１０７，１０９により内面１０３ｂが案内されて内側への撓みが防止され、後側辺においては左右側端面が左右のガイドローラ１４０により案内されて左右方向の蛇行が防止されている（図１９，図２０参照）。
【０１１６】
これら搬送ベルト１０３の外面１０３ａに対向して配置される上部通路カバー１１８、直線状通路カバー１０４、アール状通路カバー１０５、球導入通路カバー１０６は、上部ローラ１０１及び下部ローラ１０２の回転により周回する搬送ベルト１０３に遊技球を押圧して揚送するための通路部材を構成している。
【０１１７】
尚、下部ローラ１０２は、本体下部に設けられる揚送清浄モータ８０により駆動する駆動ローラとされ、上部ローラ１０１は従動ローラとされており、図１７中矢印方向（時計回り）に回転するようになっている。また、図１７に示されるように、下部ローラ１０２の上方近傍位置、つまり、ガイドローラ１０７と下部ローラ１０２との間における切欠凹部１５０ａ，１５０ｂに対応する位置には、搬送ベルト１０３の張力を調整可能なテンションローラ１０８が配置されており、搬送ベルト１０３の外面１０３ａにおけるガイドローラ１０７と下部ローラ１０２との間に当接して内側に押圧付勢することにより搬送ベルト１０３に対し所定の張力を付与している。
【０１１８】
直線状通路カバー１０４は、上下方向に延びる板状部材にて構成され、図１６に示されるように、本体１００の後面における一側辺に、該本体１００の後面を開閉可能に枢着されており、他側辺に突設された上・中・下段の係止ピン１１２ａ〜１１２ｃに、本体１００に枢着された上・中・下段の係止部材１１１ａ〜１１１ｃが係止されることで、閉塞位置にてロックできるようになっている。
【０１１９】
直線状通路カバー１０４の内面には、特に図１８に示されるように、上下方向に延設される直線状通路１１５を形成するための略半球状の凹溝１１３が複数列（本実施例では７列）並設して形成された縦長の通路板１１４が、複数のコイルバネ１１７を介して搬送ベルト１０３に向けて付勢された状態で配置されており、直線状通路カバー１０４を閉塞位置に位置したときに、搬送ベルト１０３の外面１０３ａに対向配置され、これら複数の凹溝１１３により、上下方向に延びる複数列の直線状通路１１５が形成される。
【０１２０】
そしてこれら各凹溝１１３にガイドされる各直線状通路１１５内の遊技球Ｐは、この通路板１１４により搬送ベルト１０３に押圧されることにより、搬送ベルト１０３の移動により通路内を上方に向けて移動して揚送されるようになっている。つまり、通路板１１４における遊技球Ｐとの対向面（内面）は、遊技球Ｐの移送面を構成している。
【０１２１】
また、この通路板１１４の内面側には、各通路内を移送する遊技球Ｐに摺接することにより清浄する清浄部材としての清浄布１１６が敷設されていることで、この清浄布１１６を介して通路板１１４により遊技球Ｐが搬送ベルト１０３に向けて押圧されることで、搬送ベルト１０３の移動により、遊技球Ｐが清浄布１１６に摺接（当接）されながら移送されるため、遊技球Ｐが揚送とともに清浄（研磨）されるようになっている。つまり、本実施例における揚送清浄装置２５は、遊技球Ｐを清浄しながら揚送する。
【０１２２】
この清浄布１１６は帯状をなし、直線状通路カバー１０４の通路板１１４の内面に沿って上下方向（遊技球の移送方向の上流側から下流側）に張設される。該張設された清浄布１１６の上側は、直線状通路カバー１０４の上端部（下流側折返し部）にて外側下向きに折返された後、直線状通路カバー１０４の外面上部に設けられた上部クランプ装置４００（図１７参照）に挿通した状態で保持され、直線状通路カバー１０４の外面に沿って敷設される。また、清浄布１１６の下側は、直線状通路カバー１０４の下端部（上流側折返し部）にて外側上向きに折返された後、直線状通路カバー１０４の外面下部に設けられた下部クランプ装置４１０（図１７参照）に挿通した状態で保持され、直線状通路カバー１０４の外面に沿って敷設される。
【０１２３】
このように清浄布１１６は、直線状通路カバー１０４の上下端部にてそれぞれ外向きに折返され、直線状通路カバー１０４の外面に沿って引き出された上部を上部クランプ装置４００にて、下部を下部クランプ装置４１０にて保持する必要があるため、少なくとも直線状通路カバー１０４の上下幅寸法、つまり、直線状通路１１５において清浄布１１６が遊技球に当接可能に敷設される清浄部の長手幅寸法よりも長尺な帯布にて構成されており、遊技球との摺接面が汚れた場合、上部クランプ装置４００及び下部クランプ装置４１０による保持状態を解除し、直線状通路１１５の清浄部に配置されている清浄布１１６の使用済み部を上部または下部から引き出して、未使用部を直線状通路１１５の清浄部に配置することで交換できるようになっている。
【０１２４】
尚、本実施例では、清浄布１１６は手動にて未使用部を引き出して清浄部に配置するようになっていたが、本発明はこれに限定されるものではなく、巻取りローラ等を介して自動的に未使用部が清浄部に引き出されるようにしてもよい。
【０１２５】
このように直線状通路カバー１０４により形成される直線状通路１１５は、図１７に示されるように、回転軸１０１ａから回転軸１０２ａにかけて本体１００の前面側、つまり搬送ベルト１０３の上昇側に形成されている。そして直線状通路１１５を上方に移送された遊技球Ｐは、本体１００の上部に設けられた上部通路カバー１１８により形成される円弧状の上部通路１１９により前面側（図１６中右側）に折り返された後、該上部通路カバー１１８に連設された排出カバー１２０内を流下して、該排出カバー１２０に形成された排出口３８から排出され、上部タンク３内に貯留されるようになっている。
【０１２６】
直線状通路１１５の下方、つまり上流側には、前述したアール状通路カバー１０５により形成されるアール状通路１２１が形成されており、本体１００の前面側下部に設けられた流入口３７から流入される遊技球を、上方の直線状通路１１５に向けて誘導するようになっている。
【０１２７】
アール状通路１２１には、このアール状通路カバー１０５の上流側にある流入口３７に設けられる球導入通路カバー１０６により形成される球導入通路１２３を流下する遊技球Ｐが流入されるようになっている。また、流入口３７は、本体１００の下部背面側に設けられ、複数のパチンコ遊技機２Ａから排出される遊技球を回収する回収通路の一部を構成する合流通路１１が接続されている。
【０１２８】
次に、本体１００の下部及びの詳細について、図１９〜図２７に基づいて説明する。図１９は、本体の下部及びテンションユニットを示す側面図である。図２０は、本体の下部及びテンションユニットを示す背面図である。図２１は、本体及びテンションユニットを示す底面図である。図２２は、（Ａ）は図１９のＤ−Ｄ断面図、（Ｂ）はＥ−Ｅ断面図である。図２３は、（Ａ）は本体とテンションユニットを示す分解側面図、（Ｂ）は（Ａ）のＦ−Ｆ断面図である。図２４は、テンションユニットの要部を示す側面図である。図２５は、（Ａ）はロックアームの先端を示す拡大図、（Ｂ）は（Ａ）のＧ−Ｇ断面図である。図２６は、（Ａ）（Ｂ）はテンションユニットの取り付け方法を示す説明図である。図２７は、（Ａ）はテンションユニットの取り付け方法を示す説明図、（Ｂ）は（Ａ）のＨ−Ｈ断面図である。
【０１２９】
図１９〜図２３に示すように、本体１００は、一方のフレーム板１００Ｌと、該フレーム板１００Ｌに対し略平行をなすように離間して配置された他方のフレーム板１００Ｒと、が回転軸１０１ａ，１０２ａ、ガイド軸１０９ａ、ガイド軸１０７ａにより一体化されることで一の構造体を構成している。尚、本実施例では、フレーム板１００Ｌ，１００Ｒは回転軸１０１ａ，１０２ａ、ガイド軸１０９ａ、ガイド軸１０７ａにより一体化されているが、これら軸部材以外の連結フレームにて一体化されていてもよい。
【０１３０】
図２３に示すように、切欠凹部１５０ａ，１５０ｂは、後側に開放する側面視略三角形状に形成され、少なくとも開口幅Ｌ３はテンションローラ１０８の直径Ｌ４よりも長寸（Ｌ３＞Ｌ４）とされ、深さＬ３’はテンションローラ１０８の直径Ｌ４よりも短寸（Ｌ３’＜Ｌ４）とされている。尚、深さＬ３’を、テンションローラ１０８の直径Ｌ４と同寸（Ｌ３’＝Ｌ４）または長寸（Ｌ３’＞Ｌ４）としてもよい。本実施例では、後述するように搬送ベルト１０３を押圧付勢した状態において、テンションローラ１０８の前半部、詳しくは、回動軸が後長辺１００ａ，１００ｂよりも前側に配置される程度に配置可能な深さＬ３’を有しており、左右のフレーム板１００Ｌ，１００Ｒにおいて搬送ベルト１０３を挟んで対向する後長辺１００ａ，１００ｂの長手方向の同位置に形成されている。
【０１３１】
搬送ベルト１０３は、左右のフレーム板１００Ｌ，１００Ｒ同士の離間幅寸法Ｌ１よりも小寸の左右幅寸法Ｌ２を有し、フレーム板１００Ｌ，１００Ｒの周縁よりも外側を周回するように上部ローラ１０１、下部ローラ１０２、ガイドローラ１０７，１０９、テンションローラ１０８に掛け渡されている。また、テンションローラ１０８を除く上部ローラ１０１、下部ローラ１０２、ガイドローラ１０７，１０９は、無端状の搬送ベルト１０３の内側に配設されて該搬送ベルト１０３の内面に当接され、テンションローラ１０８は、無端状の搬送ベルト１０３の外側に配設されて該搬送ベルト１０３の外面１０３ａにおける下部ローラ１０２とガイドローラ１０７との間に当接し搬送ベルト１０３の外面１０３ａが内側に凹むように押圧付勢する。これにより、搬送ベルト１０３は切欠凹部１５０ａ，１５０ｂに差し掛かったところで、該切欠凹部１５０ａ，１５０ｂの縁辺に沿うように前後に移動する。
【０１３２】
次に、テンションローラ１０８を含むテンションユニット１６０について説明する。テンションユニット１６０は、テンションローラ１０８と、該テンションローラ１０８を支持する支持体１６１と、から構成される。支持体１６１は、フレーム板１００Ｌ，１００Ｒそれぞれの外面に固定される左右一対の支持アーム１６２ａ，１６２ｂ及びこれら左右一対の支持アーム１６２ａ，１６２ｂの下端を連結する連結片１６２ｃにより背面視略上向きコ字形をなすアーム部材１６２と、連結片１６２ｃにネジにて取り付けられる側面視下向きコ字形をなすガイド部材１６３と、ガイド部材１６３に対し前後方向に移動可能に設けられる平面視前向きコ字形をなす軸受部材１６４と、アーム部材１６２に取り付けられ該アーム部材１６２がフレーム板１００Ｌ，１００Ｒそれぞれの外面に係止された状態を維持するためのロック部材１６５と、から主に構成される。
【０１３３】
図２３（Ａ）に示すように、支持アーム１６２ａ，１６２ｂそれぞれの上端辺には、連結片１６２ｃに向けて延びる軸支溝１７０ａ，１７０ｂが形成されており、フレーム板１００Ｌ，１００Ｒの外側面に突設された軸支部材１８０に軸支可能とされている。軸支部材１８０は、図２３（Ｂ）に示すように、軸支部１８０ａと、該軸支部１８０ａの先端に形成される軸支部１８０ａよりも大径の頭部１８０ｂと、から構成されており、軸支部１８０ａに軸支溝１７０ａ，１７０ｂを挿入することで、支持アーム１６２ａ，１６２ｂを軸心方向の移動を規制した状態で揺動可能に支持できるようになっている。
【０１３４】
また、支持アーム１６２ａ，１６２ｂそれぞれの前長辺の所定箇所には、後長辺に向けて延びる係止溝１７１ａ，１７１ｂが形成されており、フレーム板１００Ｌ，１００Ｒの外側面に突設された係止部材１９０に係止可能とされている。係止部材１９０は、図２３（Ｂ）に示すように、係止部１９０ａと、該係止部１９０ａの先端に形成される係止部１９０ａよりも大径の頭部１９０ｂと、から構成されており、係止部１９０ａに係止溝１７１ａ，１７１ｂを挿入することで、支持アーム１６２ａ，１６２ｂの軸心方向の移動及び揺動を規制できるようになっている。
【０１３５】
尚、軸支部１８０ａの長さＬ１０は、支持アーム１６２ａ，１６２ｂの板厚より若干長寸に形成され、係止部１９０ａの長さＬ１１は、支持アーム１６２ａ，１６２ｂの板厚より長寸で、支持アーム１６２ａ，１６２ｂの板厚と後述するロック片１７８の板厚とを合算した長さよりも若干短寸とされ、後述するように、係止部１９０ａに係止溝１７１ａ，１７１ｂを係止した状態で後述するロック片１７８を圧入可能とされている。
【０１３６】
係止溝１７１ａ，１７１ｂから後側に離れた位置には、ロック部材１６５を軸支するための軸孔１７２ａ，１７２ｂが形成されている。また、支持アーム１６２ａ，１６２ｂの内面における軸孔１７２ａ，１７２ｂの近傍位置には、搬送ベルト１０３の左右側面をガイドするガイドローラ１９５が上下方向を向く軸部材１９６を介して回動可能に支持されている。
【０１３７】
このようにアーム部材１６２は、軸支部材１８０に軸支溝１７０ａ，１７０ｂを挿入することで、フレーム板１００Ｌ，１００Ｒに対し揺動可能に支持される。具体的には、テンションローラ１０８及び軸受部材１６４の少なくとも一部が切欠凹部１５０ａ，１５０ｂに配置される第１位置（図２６（Ｂ）参照）と、テンションローラ１０８及び軸受部材１６４の少なくとも一部が切欠凹部１５０ａ，１５０ｂに配置されない第２位置（図２６（Ａ）参照）と、の間で揺動可能に支持され、係止溝１７１ａ，１７１ｂは、第１位置において係止部材１９０の係止部１９０ａに係止される。
【０１３８】
図１９に示すように、上部ローラ１０１及び下部ローラ１０２の直径Ｌ７は、フレーム板１００Ｌ，１００Ｒの長辺に対し直交する短手幅寸法Ｌ８よりも長寸とされ（Ｌ７＞Ｌ８）、搬送ベルト１０３の左右幅寸法Ｌ２（図２０参照）は、フレーム板１００Ｌ，１００Ｒの離間幅寸法Ｌ１（図２０参照）よりも小寸とされ（Ｌ２＜Ｌ１）、フレーム板１００Ｌ，１００Ｒそれぞれの周端面の一部である後端面１００ｃ，１００ｄ及び支持アーム１６２ａ，１６２ｂの内面には、搬送ベルト１０３の左右側面をガイドするガイド部としてのガイドローラ１４０，１９５が設けられていることで、搬送ベルト１０３がフレーム板１００Ｌ，１００Ｒの後端面１００ｃ，１００ｄよりも外側で、かつ、フレーム板１００Ｌ，１００Ｒの間を周回することで、ガイドローラ１４０，１９５をフレーム板１００Ｌ，１００Ｒの後端面１００ｃ，１００ｄに配設することができるため、ガイドローラ１４０，１９５をフレーム板１００Ｌ，１００Ｒの間に配置する場合よりもフレーム板１００Ｌ，１００Ｒの離間幅寸法Ｌ１を短寸とすることができるばかりか、支持アーム１６２ａ，１６２ｂにガイドローラ１４０，１９５が設けられることで、切欠凹部１５０ａ，１５０ｂの近傍位置にもガイドローラ１９５を配設することが可能となる。
【０１３９】
ロック部材１６５は、支持アーム１６２ａ，１６２ｂの外面側にそれぞれ配置される左右一対のロックアーム１７５ａ，１７５ｂと、ロックアーム１７５ａ，１７５ｂの一辺同士を連結する連結片１７５ｃと、から構成される。ロックアーム１７５ａ，１７５ｂには軸孔１７６ａ，１７６ｂが形成されており、該ロックアーム１７５ａ，１７５ｂを支持アーム１６２ａ，１６２ｂの外側に配置した状態で軸孔１７２ａ，１７２ｂと軸孔１７６ａ，１７６ｂとを合致させ、軸部材１７７ａ，１７７ｂ（図２０参照）をそれぞれ外側から挿通することで、アーム部材１６２に対しロック部材１６５が軸部材１７７ａ，１７７ｂを中心として揺動可能に設けられる。
【０１４０】
詳しくは、図２４に示すように、ロック部材１６５は、アーム部材１６２に対し、連結片１７５ｃの上辺が支持アーム１６２ａ，１６２ｂの後側辺に近接するロック位置（図２４中実線位置）と、連結片１７５ｃの下辺が支持アーム１６２ａ，１６２ｂの後側辺に当接するロック解除位置（図２４中２点鎖線位置）と、の間で揺動可能に軸支され、図示しないコイルバネ等により常時ロック位置側に向けて回動するように付勢されている。
【０１４１】
図２４及び図２５（Ａ）に示すように、ロックアーム１７５ａ，１７５ｂの先端には、それぞれロック片１７８が形成されている。ロック片１７８は、ロック位置において係止溝１７１ａ，１７１ｂの一縁側に沿うように配置され、該係止溝１７１ａ，１７１ｂ側には係止突部１７８ａが形成されている。また、ロック片１７８は、図２５（Ｂ）に示すように、所定の板厚を有し、その外面には、係止溝１７１ａ，１７１ｂに向けて支持アーム１６２ａ，１６２ｂ側に傾斜するテーパ面１７８ｂが形成されており、板厚が係止溝１７１ａ，１７１ｂ側に向けて漸次肉薄になるように横断面略楔形に形成されている。
【０１４２】
図２２に示すように、ガイド部材１６３は、テンションローラ１０８に沿うように延設される側面視略下向きコ字形をなす金属板にて構成され、上板１６３ｃが連結片１６２ｃにネジにより取り付けられている。前板１６３ａの上下位置には貫通孔３００ａ，３００ｂが形成されているとともに、後板１６３ｂにおける貫通孔３００ａ，３００ｂに対応する位置には貫通孔３０１ａ，３０１ｂが形成されている。
【０１４３】
軸受部材１６４は、テンションローラ１０８に沿うように延設される後板１６４ａと、該後板１６４ａの左右側端から前側に屈曲される軸受板１６４ｂ，１６４ｃと、により側面視略前向きコ字形をなす金属板にて構成される。軸受板１６４ｂ，１６４ｃには、テンションローラ１０８の回動軸１０８ａの上下端が回動可能に支持されている。また、後板１６４ａの後面上下位置には、ガイド軸３０２ａ，３０２ｂが突設されており、これらガイド軸３０２ａ，３０２ｂがガイド部材１６３の貫通孔３００ａ，３００ｂ、３０１ａ，３０１ｂに挿通されていることにより、軸受部材１６４及びテンションローラ１０８は、ガイド部材１６３に対し前後方向に移動可能に支持されている。
【０１４４】
また、図２１に示すように、後板１６４ａの下辺右位置からは支持片３０３が後側に向けて延設されており、該支持片３０３には、右側のガイド軸３０２ａに環装された固定部材３０４が支持されている。また、ガイド軸３０２ａにおける固定部材３０４と後板１６３ｂとの間には、圧縮コイルバネ３０５が、軸受部材１６４及びテンションローラ１０８をガイド部材１６３から離れる方向、つまり、搬送ベルト１０３側に向けて付勢するように環装されており、搬送ベルト１０３に対する付勢力を微調整できるようになっている。尚、ガイド軸３０２ａ，３０２ｂの先端にはストッパ３０２ｃが設けられており、ガイド軸３０２ａ，３０２ｂの貫通孔３００ａ，３００ｂ、３０１ａ，３０１ｂからの逸脱が規制されている。
【０１４５】
尚、本実施例では、上下のうち一方のガイド軸３０２ａにのみテンションローラ１０８を付勢する圧縮コイルバネ３０５が環装されていたが、他方のガイド軸３０２ｂにも圧縮コイルバネ３０５を設けてもよい。また、特に圧縮コイルバネ３０５を設けなくてもよい。
【０１４６】
また、図２３（Ａ）に示すように、このように構成された支持体１６１は、左右一対の支持アーム１６２ａ，１６２ｂを有するアーム部材１６２と、テンションローラ１０８を回動可能に支持する回動支持アームとしてのガイド部材１６３及び軸受部材１６４とを有し、回動支持アームとしてのガイド部材１６３及び軸受部材１６４は、左右一対の支持アーム１６２ａ，１６２ｂを有するアーム部材１６２に対し該支持アーム１６２ａ，１６２ｂの基端側（軸支溝１７０ａ，１７０ｂ側）に向けて鋭角（例えば、角度θ＝約４５度）に取り付けられていることで、アーム部材１６２に対し回動支持アームとしてのガイド部材１６３及び軸受部材１６４を鈍角に取り付ける場合よりも、テンションローラ１０８をアーム部材１６２の揺動軸心となる軸支部１８０ａに近づけて配置できるので、アーム部材１６２に対するガイド部材１６３及び軸受部材１６４の取付強度が向上する。
【０１４７】
また、搬送ベルト１０３が回動すると該搬送ベルト１０３の下降路側に配置されるテンションローラ１０８には下向きの力、つまり、テンションローラ１０８がアーム部材１６２から離れる方向に力が作用するが、アーム部材１６２は、左右のフレーム板１００Ｌ，１００Ｒの外面に一端が軸支され、他端が搬送ベルト１０３の外側に配置されるように下方に向けて外側に傾斜するように配置され、該アーム部材１６２に対し回動支持アームとしてのガイド部材１６３及び軸受部材１６４が鋭角に取り付けられることで、テンションローラ１０８が搬送ベルト１０３とアーム部材１６２との間に挟まれるように配置されるため、アーム部材１６２によりテンションローラ１０８を搬送ベルト１０３に対し強く押し付けることが可能となる。さらに、テンションローラ１０８を搬送ベルト１０３の外面１０３ａに対し略直交する方向に押圧付勢することができる。
【０１４８】
また、図２０に示すように、テンションローラ１０８の左右幅寸法Ｌ５及び該テンションローラ１０８の左右側部を回動可能に支持する回動軸１０８ａや軸受部材１６４の左右幅寸法Ｌ６は、左右のフレーム板１００Ｌ，１００Ｒ同士の離間幅寸法Ｌ１よりも長寸とされている（Ｌ５，Ｌ６＞Ｌ１）が、フレーム板１００Ｌ，１００Ｒには、テンションローラ１０８や軸受部材１６４の少なくとも一部を配置可能な大きさを有する切欠凹部１５０ａ，１５０ｂが形成されていることで、テンションローラ１０８や軸受部材１６４の前部をフレーム板１００Ｌ，１００Ｒに接触させることなく、後長辺１００ａ，１００ｂより前側に配置することが可能となっている。
【０１４９】
次に、このように構成されたテンションユニット１６０のフレーム板１００Ｌ，１００Ｒへの取り付け状況について、図２６及び図２７に基づいて説明する。
【０１５０】
まず、図２６（Ａ）に示すように、左右の支持アーム１６２ａ，１６２ｂがフレーム板１００Ｌ，１００Ｒの外側面に配置し、支持アーム１６２ａ，１６２ｂをフレーム板１００Ｌ，１００Ｒの長手方向に対し略直交する姿勢で軸支溝１７０ａ，１７０ｂを軸支部材１８０の軸支部１８０ａに挿入する。尚、このときテンションローラ１０８は、圧縮コイルバネ３０５の付勢力により、ガイド部材１６３から離れた位置に配置されている。
【０１５１】
次いで、図２６（Ｂ）に示すように、支持アーム１６２ａ，１６２ｂを軸支部１８０ａに支持させた第２位置から右側面視で時計回りに回動させ、テンションローラ１０８を搬送ベルト１０３の外面１０３ａに当接させた後、さらに搬送ベルト１０３の外面１０３ａを押圧するように回動させて第１位置まで移動し、係止溝１７１ａ，１７１ｂを係止部１９０ａに係止させる。尚、搬送ベルト１０３の外面１０３ａを押圧するとき、支持アーム１６２ａ，１６２ｂの上端の軸支溝１７０ａ，１７０ｂが軸支部１８０ａに軸支されていることにより、テンションユニット１６０の軸支溝１７０ａ，１７０ｂの反対側の端部を搬送ベルト１０３側に押し付けるように支持アーム１６２ａ，１６２ｂを回動させるだけで、テンションユニット１６０を搬送ベルト１０３側に強く押し付けることができるとともに、テンションローラ１０８を切欠凹部１５０ａ，１５０ｂに容易に配置することができる。尚、このときテンションローラ１０８は、圧縮コイルバネ３０５の付勢力に抗してガイド部材１６３に近づく。
【０１５２】
次いで、図２７（Ａ）に示すように、支持アーム１６２ａ，１６２ｂが第１位置にあるときに、ロック部材１６５の連結片１７５ｃの下辺を押し上げるように右側面視反時計回りに回動させて、ロック部材１６５をロック解除位置からロック位置に向けて移動させる。ここで、図２７（Ｂ）に示すように、ロック部材１６５のロック片１７８のテーパ面１７８ｂ側の肉薄部が、支持アーム１６２ａ，１６２ｂの外面と頭部１８０ｂとの間に入り込む。そして、ロック部材１６５の連結片１７５ｃの下辺をさらに強く押し上げることにより、ロック片１７８のテーパ面１７８ｂ側の肉薄部が支持アーム１６２ａ，１６２ｂの外面と頭部１８０ｂとの間に挟持されることにより、支持アーム１６２ａ，１６２ｂの内面がフレーム板１００Ｌ，１００Ｒの外面に強く圧接され、その摩擦抵抗力が搬送ベルト１０３の張力より上回ることにより、支持アーム１６２ａ，１６２ｂが第２位置側へ押し戻されることが防止され、第２位置にてロック（維持）される。
【０１５３】
また、ロック部材１６５により支持アーム１６２ａ，１６２ｂが第１位置に維持された状態において、搬送ベルト１０３の張力により支持アーム１６２ａ，１６２ｂを第２位置側へ押し戻す力が働くと、ロック部材１６５のロック片１７８のテーパ面１７８ｂ側の肉薄部が支持アーム１６２ａ，１６２ｂの外面と頭部１８０ｂとの間により深く入り込むため、支持アーム１６２ａ，１６２ｂを第２位置にロック（維持）する力が増大して第２位置から回動しにくくなる。
【０１５４】
さらに、係止突部１７８ａが係止溝１７１ａ，１７１ｂの開口側に配置されることで、支持アーム１６２ａ，１６２ｂが搬送ベルト１０３の弾性力により第１位置から第２位置側に戻されそうになったときに係止部１９０ａが係止突部１７８ａに接触することで第１位置から第２位置側への移動が規制される。
【０１５５】
このように、支持アーム１６２ａ，１６２ｂが第１位置に維持された状態において、搬送ベルト１０３の外面１０３ａにおける下部ローラ１０２とガイドローラ１０７との間がテンションローラ１０８により前側（内側）に押圧付勢され、切欠凹部１５０ａ，１５０ｂの縁辺に沿うように側面視略三角形状をなすように凹む。これにより、上部ローラ１０１と下部ローラ１０２との間に掛け渡された搬送ベルト１０３に所定の張力が付与される。
【０１５６】
テンションローラ１０８は、上部ローラ１０１と下部ローラ１０２との間に掛け渡された搬送ベルト１０３の外面１０３ａにおける下降路の外側（後側）に配置され、上部ローラ１０１と下部ローラ１０２との間の直線状部の一部をフレーム板１００Ｌ，１００Ｒ側に凹ませるように押圧することにより搬送ベルト１０３に所定の張力を発生させるが、フレーム板１００Ｌ，１００Ｒに切欠凹部１５０ａ，１５０ｂが形成されていることにより、テンションローラ１０８の左右幅寸法Ｌ５及び該テンションローラ１０８の左右側部を回動可能に支持する回動軸１０８ａや軸受部材１６４の左右幅寸法Ｌ６よりも、左右のフレーム板１００Ｌ，１００Ｒ同士の離間幅寸法Ｌ１を長寸としなくても、テンションローラ１０８や回動軸１０８ａ、軸受部材１６４をフレーム板１００Ｌ，１００Ｒに接触させることなく、テンションローラ１０８や回動軸１０８ａ、軸受部材１６４の一部がフレーム板１００Ｌ，１００Ｒの後長辺１００ａ，１００ｂよりも前側に位置するように、つまり、テンションローラ１０８や回動軸１０８ａ、軸受部材１６４の一部を切欠凹部１５０ａ，１５０ｂに配置することができるため、フレーム板１００Ｌ，１００Ｒの離間幅寸法Ｌ１を極力短寸として本体１００を小型化することができる。
【０１５７】
これにより、テンションユニット１６０が後側に大きく膨出することが防止されるばかりか、フレーム板１００Ｌ，１００Ｒの離間幅寸法Ｌ１を、テンションローラ１０８の左右幅寸法Ｌ５や回動軸１０８ａや軸受部材１６４の左右幅寸法Ｌ６よりも長寸にしなくて済むため、左右幅を極力コンパクト化することができるため、遊技島１の内部に広い設置スペースを確保せずとも揚送清浄装置２５を設置することが可能となる。
【０１５８】
また、図２７（Ａ）に示すように、支持アーム１６２ａ，１６２ｂは、係止溝１７１ａ，１７１ｂを係止部１９０ａに係止させた第１位置に維持された状態において、フレーム板１００Ｌ，１００Ｒに対し斜めに傾斜して配置されるとともに、軸受部材１６４やガイド部材１６３からなる回動支持アームがアーム部材１６２に対し鋭角に設けられ、かつ、回動支持アームのガイド軸３０２ａ，３０２ｂが搬送ベルト１０３の外面１０３ａに対しテンションローラ１０８を略直交する方向に付勢するように配置されるため、搬送ベルト１０３を好適に付勢することができる。
【０１５９】
以上説明したように、実施例としての揚送清浄装置２５にあっては、長板状の第１フレーム板としてのフレーム板１００Ｌと、該フレーム板１００Ｌに対し離れて並設される長板状の第２フレーム板としてのフレーム板１００Ｒと、フレーム板１００Ｌとフレーム板１００Ｒとの間における長手方向の一端側と他端側それぞれに架設される２つの軸部材としての回転軸１０１ａ，１０２ａと、該２つの回転軸１０１ａ，１０２ａそれぞれに回動可能に設けられた２つの回動ローラとしての上部ローラ１０１及び下部ローラ１０２と、上部ローラ１０１と下部ローラ１０２とに掛け渡された無端帯状の搬送ベルト１０３と、該搬送ベルト１０３の外面１０３ａに対向して配置された清浄部材としての清浄布１１６と、を備え、下部ローラ１０２を駆動させて搬送ベルト１０３を周回させることにより該搬送ベルト１０３と清浄布１１６との間に挟持された遊技球Ｐを搬送しながら清浄する揚送清浄装置２５において、フレーム板１００Ｌ，１００Ｒにおいて搬送ベルト１０３を挟んで対向する後長辺１００ａ，１００ｂの長手方向の同位置に形成される切欠凹部１５０ａ，１５０ｂと、搬送ベルト１０３の外面１０３ａに当接し付勢されることで該搬送ベルト１０３に所定の張力を付与するテンションローラ１０８と、テンションローラ１０８を回動可能に支持する支持体１６１と、を備え、切欠凹部１５０ａは、該テンションローラ１０８または支持体１６１の少なくとも一部を配置可能な大きさを有することで、テンションローラ１０８が搬送ベルト１０３の外面１０３ａに当接し付勢されるときにフレーム板１００Ｌ，１００Ｒとの離間幅寸法Ｌ１に制限されることなく、テンションローラ１０８の少なくとも一部をフレーム板１００Ｌ，１００Ｒの後長辺１００ａ，１００ｂより内側に配置することができるため、揚送清浄装置２５をコンパクトにすることができる。
【０１６０】
また、支持体１６１は、フレーム板１００Ｌ，フレーム板１００Ｒそれぞれに支持される２つの支持アーム１６２ａ，１６２ｂを有することで、テンションローラ１０８の左右端部を、フレーム板１００Ｌ，１００Ｒそれぞれに支持された２つの支持アーム１６２ａ，１６２ｂを介して安定して支持できる。
【０１６１】
尚、本実施例では、支持体１６１はフレーム板１００Ｌ，１００Ｒに係止することにより取り付けられていたが、本発明はこれに限定されるものではなく、本体１００以外の箇所に取り付けられていても良い。また、回動軸１０８ａの左右端部がそれぞれ別個のフレーム板１００Ｌ，１００Ｒに支持されていたが、左右いずれか一方のフレーム板にて支持されていても良い。
【０１６２】
また、フレーム板１００Ｌ，１００Ｒは、支持アーム１６２ａ，１６２ｂを、テンションローラ１０８または支持体１６１の少なくとも一部が切欠凹部１５０ａ，１５０ｂに配置される第１位置（例えば、図２７（Ａ）に示す位置）とテンションローラ１０８または支持体１６１の少なくとも一部が切欠凹部１５０ａ，１５０ｂに配置されない第２位置（例えば、図２６（Ａ）に示す位置）との間で揺動可能に支持する軸支部１８０ａと、支持アーム１６２ａ，１６２ｂそれぞれに設けられた係止溝１７１ａ，１７１ｂが係止される係止部１９０ａと、を備え、係止溝１７１ａ，１７１ｂは、第１位置にて係止部１９０ａに係止される（例えば、図２６（Ｂ）参照）ことで、支持アーム１６２ａ，１６２ｂを、第２位置において軸支部１８０ａに支持させて位置決めした状態で第１位置まで揺動（回動）することで、係止溝１７１ａ，１７１ｂを係止部１９０ａに容易に係止させることができるため、テンションローラ１０８または支持体１６１の少なくとも一部を切欠凹部１５０ａ，１５０ｂに容易に配置することができる。
【０１６３】
また、テンションローラ１０８を支持する支持体１６１を揺動（回動）可能に支持する軸支部材１８０が、搬送ベルト１０３の回動を支持するフレーム板１００Ｌ及びフレーム板１００Ｒに設けられていることで、搬送ベルト１０３に対するテンションローラ１０８の相対位置が不変となるため、例えば、後述するように本体１００が揺動（移動）可能に設けられている場合でも（図１８参照）、テンションローラ１０８を常に搬送ベルト１０３の同じ位置で押圧付勢することができる。
【０１６４】
また、支持体１６１に設けられ、係止部１９０ａと係止溝１７１ａ，１７１ｂとの係止状態を維持する維持部としてのロック片１７８を有するロック部材１６５を備え、該ロック部材１６５は、ロック片１７８が係止部１９０ａと係止溝１７１ａ，１７１ｂとの間に圧入されて係止状態を維持する維持位置（例えば、図２７（Ａ）に示す位置）と、ロック片１７８が係止部１９０ａと係止溝１７１ａ，１７１ｂとの間から離脱して係止状態の維持が解除される解除位置（例えば、図２６（Ａ）に示す位置）と、の間で移動可能であることで、ロック部材１６５を支持体１６１に対し移動させるだけで、係止部１９０ａと係止溝１７１ａ，１７１ｂとの係止状態の維持または解除を容易に行うことができる。
【０１６５】
尚、本実施例では、係止部１９０ａと係止溝１７１ａ，１７１ｂとの係止状態を維持する維持部としてのロック片１７８を有するロック部材１６５を備えていたが、このように係止部と被係止部との係止状態を維持する維持部材は特に設けなくてもよい。また、維持部として、係止部と被係止部とを挟持することにより係止状態を維持するものに限定されるものではなく、係止部と被係止部とに挿通されて相対移動を規制するもの等であっても良い。
【０１６６】
なお、本実施形態では、タンク３は設置面にアンカーボルトなどで固定したフレーム（図示せず）に保持固定されており、上部フレーム体１７４Ｆ，１７４Ｂの変位による影響を受けないようになっているが、これに限らず、図２８（Ａ）（Ｂ）に示すように一方が上部フレームに乗せされ、他方が上方開放部材に乗せられて保持されるようにしてもよい。具体的には、タンク１０００は、４本の脚１０００Ｂａ、１０００Ｂｂ、１０００Ｆａ、１０００Ｆｂを有して構成され、１０００Ｂａ、１０００Ｂｂが上部フレーム体１７４Ｂの幕板枠５５Ｂの上面に載置され、１０００Ｆａ、１０００Ｆｂが部材９５Ｆｄの上面に載置されている。これによれば、遊技機設置島の前側と後側との高さを合わせることができ、板体Ｑ１、Ｑ２や、タンク１０００を跨らせて載置する際に好ましい。
【０１６７】
また、上部ローラ１０１、下部ローラ１０２の直径Ｌ７は、フレーム板１００Ｌ，１００Ｒの長辺に対し直交する短手幅寸法Ｌ８よりも長寸とされ（Ｌ７＞Ｌ８）、搬送ベルト１０３の左右幅寸法Ｌ２は、フレーム板１００Ｌ，１００Ｒの離間幅寸法Ｌ１よりも小寸とされ（Ｌ２＜Ｌ１）、フレーム板１００Ｌ，１００Ｒそれぞれの後端面１００ｃ，１００ｄ及び支持アーム１６２ａ，１６２ｂの内面には、搬送ベルト１０３の幅方向の両側面をガイドするガイドローラ１４０，１９５が設けられていることで、搬送ベルト１０３がフレーム板１００Ｌ，１００Ｒの後端面１００ｃ，１００ｄよりも外側で、かつフレーム板１００Ｌ，１００Ｒとの間を周回することで、ガイド部をフレーム板１００Ｌ，１００Ｒの後端面１００ｃ，１００ｄに配設することができるため、ガイドローラ１４０，１９５をフレーム板１００Ｌ，１００Ｒとの間に配置する場合よりもフレーム板１００Ｌ，１００Ｒの離間幅寸法Ｌ１を短寸としてコンパクト化することができるばかりか、支持アーム１６２ａ，１６２ｂにガイドローラ１９５が設けられることで、切欠凹部１５０ａ，１５０の近傍位置にもガイドローラ１９５を配設することが可能となる。
【０１６８】
支持体１６１は、支持アーム１６２ａ，１６２ｂと、テンションローラ１０８を回動可能に支持するガイド部材１６３及び軸受部材１６４と、を有し、ガイド部材１６３及び軸受部材１６４は、支持アーム１６２ａ，１６２ｂに対し該支持アーム１６２ａ，１６２ｂの基端側に向けて鋭角（例えば、約４５度）に取り付けられることで、アーム部材１６２に対し回動支持アームとしてのガイド部材１６３及び軸受部材１６４を鈍角に取り付ける場合よりも、テンションローラ１０８をアーム部材１６２の揺動軸心となる軸支部１８０ａに近づけて配置できるので、支持アーム１６２ａ，１６２ｂに対するガイド部材１６３及び軸受部材１６４の取付強度が向上する。
【０１６９】
以上、本発明の実施例を図面により説明してきたが、具体的な構成はこれら実施例に限られるものではなく、本発明の要旨を逸脱しない範囲における変更や追加があっても本発明に含まれる。
【０１７０】
例えば、前記実施例では、スロットマシン２Ｃとして、遊技用価値としてメダル（遊技媒体）やクレジット等を用いて遊技を行うスロットマシン２Ｃが適用されていたが、本発明はこれに限定されるものではなく、遊技用価値として遊技球（遊技媒体）を用いて遊技を行うスロットマシンであってもよいし、雀球遊技機等にも適用可能である。
【０１７１】
また、前記実施例では、遊技者所有の遊技用価値としてのメダルの一部（前記実施例では５０枚まで）をクレジットとして記憶可能であり、メダルまたはクレジットを用いることで遊技（ゲーム）を行うことができるようになっていたが、例えば貸出要求に応じて貸し出された価値や入賞に応じて付与された価値を全てクレジットとして記憶し、該クレジットのみの使用で遊技を行うことが可能な遊技機であってもよく、この場合、遊技用価値とはクレジットにあたる。
【０１７２】
また、前記実施例では、遊技島１は、複数の遊技機を横並びに直線状に設置可能な設置部を有しているが、このように複数の遊技機を横並びに直線状に設置するものだけでなく、例えば、複数の遊技機を横並びに環状に設置するものであってもよい。
【符号の説明】
【０１７３】
１        遊技島
２Ａ      パチンコ遊技機
２Ｂ      封入式パチンコ遊技機
２Ｃ      スロットマシン
１３Ｆ，１３Ｂ    膳板
１３Ｆａ，１３Ｂａ  設置板
１４Ｆ，１４Ｂ    腰板
２０      躯体
３０      腰板枠
５０      幕板
５５      幕板枠
７０Ｂ    後支持枠
７０Ｆ    前支持枠
７１      連結フレーム
７１ａ    第１連結フレーム部
７１ｂ    第２連結フレーム部
９０      球貸処理機
９１      メダル貸処理機
９２      スペーサ板
【図１】
2015173892.tif 000003
【図２】
2015173892.tif 000004
【図３】
2015173892.tif 000005
【図４】
2015173892.tif 000006
【図５】
2015173892.tif 000007
【図６】
2015173892.tif 000008
【図７】
2015173892.tif 000009
【図８】
2015173892.tif 000010
【図９】
2015173892.tif 000011
【図１０】
2015173892.tif 000012
【図１１】
2015173892.tif 000013
【図１２】
2015173892.tif 000014
【図１３】
2015173892.tif 000015
【図１４】
2015173892.tif 000016
【図１５】
2015173892.tif 000017
【図１６】
2015173892.tif 000018
【図１７】
2015173892.tif 000019
【図１８】
2015173892.tif 000020
【図１９】
2015173892.tif 000021
【図２０】
2015173892.tif 000022
【図２１】
2015173892.tif 000023
【図２２】
2015173892.tif 000024
【図２３】
2015173892.tif 000025
【図２４】
2015173892.tif 000026
【図２５】
2015173892.tif 000027
【図２６】
2015173892.tif 000028
【図２７】
2015173892.tif 000029
【図２８】
2015173892.tif 000030